(57)【要約】  本開示は、ベアラマッピング方法、装置、基地局および端末を提供し、活性化／非活性化を繰り返し伝送するＭＡＣ  ＣＥのｂｉｔｍａｐとベアラとのマッピング関係をネットワーク側と端末側の両側で統一化する問題を解決する。前記方法において、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で指示することを含む。【選択図】  図１
2020530740.tif 000002
【特許請求の範囲】
【請求項１】
基地局に応用されるベアラマッピング方法において、
繰り返し伝送機能を有するように構成されたベアラのＩＤであるベアラＩＤと、活性化指示または非活性化指示を繰り返し伝送する制御エレメントであるＭＡＣ  ＣＥ（Ｍｅｄｉｕｍ  Ａｃｃｅｓｓ  Ｃｏｎｔｒｏｌ  Ｃｏｎｔｒｏｌ  Ｅｌｅｍｅｎｔ）のビットマップ（ｂｉｔｍａｐ）とのマッピング関係を、暗黙的または明示的な方式で指示することを含む、ベアラマッピング方法。
【請求項２】
ベアラＩＤとＭＡＣ  ＣＥのビットマップとのマッピング関係を暗黙的な方式で指示することは、
所定プロトコルの取り決めによって、前記ベアラＩＤを所定ソートルールでソートしてベアラＩＤ系列を得るように端末に指示するとともに、前記ベアラＩＤ系列のうちの各前記ベアラＩＤとＭＡＣ  ＣＥのビットマップとのマッピング関係を指示することを含む、請求項１に記載のベアラマッピング方法。
【請求項３】
前記所定ソートルールは、
ベアラの確立または修正の時間順にソートし、または、ベアラＩＤの逓増または逓減の順にソートすることを含む、請求項２に記載のベアラマッピング方法。
【請求項４】
前記ベアラＩＤ系列のうちの各前記ベアラＩＤとＭＡＣ  ＣＥのビットマップとのマッピング関係を指示することは、
前記ベアラＩＤ系列のうちのＮ（正整数）個のベアラＩＤをビットマップのうちのＮ個の連続する位置にマッピングするように指示することを含み、
ここで、ベアラＩＤとビットマップのうちの位置とは、一対一に対応する、請求項２に記載のベアラマッピング方法。
【請求項５】
前記の前記ベアラＩＤ系列のうちのＮ個のベアラＩＤをビットマップのうちのＮ個の連続する位置にマッピングするように指示することは、
前記ベアラＩＤ系列のうちのＮ個のベアラＩＤをビットマップのうちのＮ個の連続する位置に所定マッピングルールで順にマッピングするように指示することを含み、
前記所定マッピングルールは、
高位から低位へマッピングするマッピングルールまたは低位から高位へマッピングするマッピングルールを含む、請求項４に記載のベアラマッピング方法。
【請求項６】
前記ベアラＩＤ系列のうちの各前記ベアラＩＤとＭＡＣ  ＣＥのビットマップとのマッピング関係を指示した後に、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加すること、および／または、
ベアラの解放の際に、解放が必要なベアラのベアラＩＤを前記ベアラＩＤ系列から削除すること、および／または、
ベアラの修正の際に、前記所定ソートルールに基づいて前記ベアラＩＤ系列を更新することをさらに含む、請求項２に記載のベアラマッピング方法。
【請求項７】
ベアラの修正の際に、前記所定ソートルールに基づいて前記ベアラＩＤ系列を更新することは、
ベアラのベアラＩＤを修正するのであれば、修正後のベアラＩＤおよび前記所定ソートルールに基づいて前記ベアラＩＤ系列を更新することと、
ベアラのベアラＩＤを修正しないのであれば、前記所定ソートルールに基づいて前記ベアラＩＤ系列を更新することとを含む、請求項６に記載のベアラマッピング方法。
【請求項８】
ベアラＩＤとＭＡＣ  ＣＥのビットマップとのマッピング関係を明示的な方式で指示することは、
前記ベアラＩＤとＭＡＣ  ＣＥのビットマップとのマッピング関係をハイレイヤシグナリングによって指示することを含む、請求項１に記載のベアラマッピング方法。
【請求項９】
前記の前記ベアラＩＤとＭＡＣ  ＣＥのビットマップとのマッピング関係をハイレイヤシグナリングによって指示することは、
新規に確立するベアラのベアラＩＤとビットマップとのマッピング関係をベアラ新規確立指令に付帯すること、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報を、ベアラ解放指令に付帯すること、および／または、
修正後ベアラのベアラＩＤとビットマップとのマッピング関係をベアラ修正指令に付帯することを含む、請求項８に記載のベアラマッピング方法。
【請求項１０】
前記のベアラＩＤとＭＡＣ  ＣＥのビットマップとのマッピング関係を暗黙的または明示的な方式で指示した後に、
目標ベアラの目標分岐に対し所定操作を行い、かつ前記目標ベアラには、前記所定操作が可能な分岐を少なくとも２つ構成可能である場合、前記目標ベアラのベアラＩＤとビットマップとの第１マッピング関係および目標分岐の分岐ＩＤとビットマップとの第２マッピング関係を端末に送信することをさらに含む、請求項１に記載のベアラマッピング方法。
【請求項１１】
端末に応用されるベアラマッピング方法において、
繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定することを含む、ベアラマッピング方法。
【請求項１２】
ベアラＩＤとＭＡＣ  ＣＥのビットマップとのマッピング関係を暗黙的な方式で特定することは、
所定プロトコルの取り決めによって、前記ベアラＩＤを所定ソートルールでソートしてベアラＩＤ系列を得るとともに、前記ベアラＩＤ系列のうちの各ベアラＩＤと前記ＭＡＣ  ＣＥのビットマップとのマッピング関係を特定することを含む、請求項１１に記載のベアラマッピング方法。
【請求項１３】
前記所定ソートルールは、
ベアラの確立または修正の時間順にソートし、または、ベアラＩＤの逓増または逓減の順にソートすることを含む、請求項１２に記載のベアラマッピング方法。
【請求項１４】
前記ベアラＩＤ系列のうちの各ベアラＩＤと前記ＭＡＣ  ＣＥのビットマップとのマッピング関係を特定することは、
前記ベアラＩＤ系列のうちのＮ（正整数）個のベアラＩＤをビットマップのうちのＮ個の連続する位置にマッピングすることを含み、
ここで、ベアラＩＤとビットマップのうちの位置とは、一対一に対応する、請求項１２に記載のベアラマッピング方法。
【請求項１５】
前記ベアラＩＤ系列のうちのＮ個のベアラＩＤをビットマップのうちのＮ個の連続する位置にマッピングすることは、
前記ベアラＩＤ系列のうちのＮ個のベアラＩＤをビットマップのうちのＮ個の連続する位置に所定マッピングルールで順にマッピングすることを含み、
前記所定マッピングルールは、
高位から低位へマッピングするマッピングルールまたは低位から高位へマッピングするマッピングルールを含む、請求項１４に記載のベアラマッピング方法。
【請求項１６】
前記ベアラＩＤ系列のうちの各ベアラＩＤと前記ＭＡＣ  ＣＥのビットマップとのマッピング関係を特定した後に、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加すること、および／または、
ベアラの解放の際に、解放が必要なベアラのベアラＩＤを前記ベアラＩＤ系列から削除すること、および／または、
ベアラの修正の際に、前記所定ソートルールに基づいて前記ベアラＩＤ系列を更新することをさらに含む、請求項１２に記載のベアラマッピング方法。
【請求項１７】
ベアラの修正の際に、前記所定ソートルールに基づいて前記ベアラＩＤ系列を更新することは、
ベアラのベアラＩＤを修正するのであれば、修正後のベアラＩＤおよび前記所定ソートルールに基づいて前記ベアラＩＤ系列を更新することと、
ベアラのベアラＩＤを修正しないのであれば、前記所定ソートルールに基づいて前記ベアラＩＤ系列を更新することとを含む、請求項１６に記載のベアラマッピング方法。
【請求項１８】
ベアラＩＤとＭＡＣ  ＣＥのビットマップとのマッピング関係を明示的な方式で特定することは、
前記ベアラＩＤとＭＡＣ  ＣＥのビットマップとのマッピング関係を、基地局から送信されるハイレイヤシグナリングによって特定することを含む、請求項１１に記載のベアラマッピング方法。
【請求項１９】
前記ベアラＩＤとＭＡＣ  ＣＥのビットマップとのマッピング関係を、基地局から送信されるハイレイヤシグナリングによって特定することは、
新規に確立するベアラのベアラＩＤとビットマップとのマッピング関係が付帯されたベアラ新規確立指令に基づいて、新規に確立するベアラのベアラＩＤとビットマップとのマッピング関係を特定すること、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報が付帯されたベアラ解放指令に基づいて、解放が必要なベアラのベアラＩＤとビットマップとのマッピング関係を解除すること、および／または、
修正後ベアラのベアラＩＤとビットマップとのマッピング関係が付帯されたベアラ修正指令に基づいて、修正後ベアラのベアラＩＤとビットマップとのマッピング関係を特定することを含む、請求項１８に記載のベアラマッピング方法。
【請求項２０】
目標ベアラのベアラＩＤとビットマップとのマッピング関係である第１マッピング関係および前記目標ベアラの目標分岐とビットマップとのマッピング関係である第２マッピング関係を基地局から受信することと、
ここで、前記基地局から、目標ベアラの目標分岐に対し所定操作を行い、かつ前記目標ベアラには、前記所定操作が可能な分岐を少なくとも２つ構成可能である場合、第１マッピング関係および第２マッピング関係が送信され、
前記第１マッピング関係および前記第２マッピング関係に基づいて、前記目標ベアラの目標分岐に対し所定操作を行うこととをさらに含む、請求項１１に記載のベアラマッピング方法。
【請求項２１】
基地局に応用されるベアラマッピング装置において、
繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で指示するための指示モジュールを含む、ベアラマッピング装置。
【請求項２２】
前記指示モジュールは、
所定プロトコルの取り決めによって、前記ベアラＩＤを所定ソートルールでソートしてベアラＩＤ系列を得るように端末に指示するとともに、前記ベアラＩＤ系列のうちの各前記ベアラＩＤとＭＡＣ  ＣＥのビットマップとのマッピング関係を指示することに用いられる、請求項２１に記載のベアラマッピング装置。
【請求項２３】
前記指示モジュールは、
前記ベアラＩＤとＭＡＣ  ＣＥのビットマップとのマッピング関係をハイレイヤシグナリングによって指示することに用いられる、請求項２１に記載のベアラマッピング装置。
【請求項２４】
メモリと、プロセッサと、メモリに記憶されてプロセッサで実行可能なコンピュータプログラムを含む基地局であって、
前記プロセッサは、前記コンピュータプログラムを実行すると、
繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で指示するプロセスを実行する、基地局。
【請求項２５】
前記プロセッサは、前記コンピュータプログラムを実行すると、
所定プロトコルの取り決めによって、前記ベアラＩＤを所定ソートルールでソートしてベアラＩＤ系列を得るように端末に指示するとともに、前記ベアラＩＤ系列のうちの各前記ベアラＩＤとＭＡＣ  ＣＥのビットマップとのマッピング関係を指示するプロセスを実行する、請求項２４に記載の基地局。
【請求項２６】
前記所定ソートルールは、
ベアラの確立または修正の時間順にソートし、または、ベアラＩＤの逓増または逓減の順にソートすることを含む、請求項２５に記載の基地局。
【請求項２７】
前記プロセッサは、前記コンピュータプログラムを実行すると、
前記ベアラＩＤ系列のうちのＮ（正整数）個のベアラＩＤをビットマップのうちのＮ個の連続する位置にマッピングするように指示するプロセスを実行し、
ここで、ベアラＩＤとビットマップのうちの位置とは、一対一に対応する、請求項２５に記載の基地局。
【請求項２８】
前記プロセッサは、前記コンピュータプログラムを実行すると、
前記ベアラＩＤ系列のうちのＮ個のベアラＩＤをビットマップのうちのＮ個の連続する位置に所定マッピングルールで順にマッピングするように指示するプロセスを実行し、
前記所定マッピングルールは、
高位から低位へマッピングするマッピングルールまたは低位から高位へマッピングするマッピングルールを含む、請求項２７に記載の基地局。
【請求項２９】
前記プロセッサは、前記コンピュータプログラムを実行すると、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加するプロセス、および／または、
ベアラの解放の際に、解放が必要なベアラのベアラＩＤを前記ベアラＩＤ系列から削除するプロセス、および／または、
ベアラの修正の際に、前記所定ソートルールに基づいて前記ベアラＩＤ系列を更新するプロセスを実行する、請求項２５に記載の基地局。
【請求項３０】
前記プロセッサは、前記コンピュータプログラムを実行すると、
ベアラのベアラＩＤを修正するのであれば、修正後のベアラＩＤおよび前記所定ソートルールに基づいて前記ベアラＩＤ系列を更新するプロセスと、
ベアラのベアラＩＤを修正しないのであれば、前記所定ソートルールに基づいて前記ベアラＩＤ系列を更新するプロセスとを実行する、請求項２９に記載の基地局。
【請求項３１】
前記プロセッサは、前記コンピュータプログラムを実行すると、
前記ベアラＩＤとＭＡＣ  ＣＥのビットマップとのマッピング関係をハイレイヤシグナリングによって指示するプロセスを実行する、請求項２４に記載の基地局。
【請求項３２】
前記プロセッサは、前記コンピュータプログラムを実行すると、
新規に確立するベアラのベアラＩＤとビットマップとのマッピング関係をベアラ新規確立指令に付帯するプロセス、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報を、ベアラ解放指令に付帯するプロセス、および／または、
修正後ベアラのベアラＩＤとビットマップとのマッピング関係をベアラ修正指令に付帯するプロセスを実行する、請求項３１に記載の基地局。
【請求項３３】
前記プロセッサは、前記コンピュータプログラムを実行すると、
目標ベアラの目標分岐に対し所定操作を行い、かつ前記目標ベアラには、前記所定操作が可能な分岐を少なくとも２つ構成可能である場合、前記目標ベアラのベアラＩＤとビットマップとの第１マッピング関係および目標分岐の分岐ＩＤとビットマップとの第２マッピング関係を端末に送信するプロセスを実行する、請求項２４に記載の基地局。
【請求項３４】
コンピュータプログラムが記憶されているコンピュータ読み取り可能な記憶媒体であって、
前記コンピュータプログラムがプロセッサによって実行されると、請求項１〜１０のいずれか一項に記載のベアラマッピング方法のステップが実現される、コンピュータ読み取り可能な記憶媒体。
【請求項３５】
端末に応用されるベアラマッピング装置において、
繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定するための特定モジュールを含む、ベアラマッピング装置。
【請求項３６】
前記特定モジュールは、
所定プロトコルの取り決めによって、前記ベアラＩＤを所定ソートルールでソートしてベアラＩＤ系列を得るとともに、前記ベアラＩＤ系列のうちの各ベアラＩＤと前記ＭＡＣ  ＣＥのビットマップとのマッピング関係を特定することに用いられる、請求項３５に記載のベアラマッピング装置。
【請求項３７】
前記特定モジュールは、
前記ベアラＩＤとＭＡＣ  ＣＥのビットマップとのマッピング関係を、基地局から送信されるハイレイヤシグナリングによって特定することに用いられる、請求項３５に記載のベアラマッピング装置。
【請求項３８】
メモリと、プロセッサと、メモリに記憶されてプロセッサで実行可能なコンピュータプログラムを含む端末であって、
前記プロセッサは、前記コンピュータプログラムを実行すると、
繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定するプロセスを実行する、端末。
【請求項３９】
前記プロセッサは、前記コンピュータプログラムを実行すると、
所定プロトコルの取り決めによって、前記ベアラＩＤを所定ソートルールでソートしてベアラＩＤ系列を得るとともに、前記ベアラＩＤ系列のうちの各ベアラＩＤと前記ＭＡＣ  ＣＥのビットマップとのマッピング関係を特定するプロセスを実行する、請求項３８に記載の端末。
【請求項４０】
前記所定ソートルールは、
ベアラの確立または修正の時間順にソートし、または、ベアラＩＤの逓増または逓減の順にソートすることを含む、請求項３９に記載の端末。
【請求項４１】
前記プロセッサは、前記コンピュータプログラムを実行すると、
前記ベアラＩＤ系列のうちのＮ（正整数）個のベアラＩＤをビットマップのうちのＮ個の連続する位置にマッピングするプロセスを実行し、
ここで、ベアラＩＤとビットマップのうちの位置とは、一対一に対応する、請求項３９に記載の端末。
【請求項４２】
前記プロセッサは、前記コンピュータプログラムを実行すると、
前記ベアラＩＤ系列のうちのＮ個のベアラＩＤをビットマップのうちのＮ個の連続する位置に所定マッピングルールで順にマッピングするプロセスを実行し、
前記所定マッピングルールは、
高位から低位へマッピングするマッピングルールまたは低位から高位へマッピングするマッピングルールを含む、請求項４１に記載の端末。
【請求項４３】
前記プロセッサは、前記コンピュータプログラムを実行すると、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加するプロセス、および／または、
ベアラの解放の際に、解放が必要なベアラのベアラＩＤを前記ベアラＩＤ系列から削除するプロセス、および／または、
ベアラの修正の際に、前記所定ソートルールに基づいて前記ベアラＩＤ系列を更新するプロセスを実行する、請求項３９に記載の端末。
【請求項４４】
前記プロセッサは、前記コンピュータプログラムを実行すると、
ベアラのベアラＩＤを修正するのであれば、修正後のベアラＩＤおよび前記所定ソートルールに基づいて前記ベアラＩＤ系列を更新するプロセスと、
ベアラのベアラＩＤを修正しないのであれば、前記所定ソートルールに基づいて前記ベアラＩＤ系列を更新するプロセスとを実行する、請求項４３に記載の端末。
【請求項４５】
前記プロセッサは、前記コンピュータプログラムを実行すると、
前記ベアラＩＤとＭＡＣ  ＣＥのビットマップとのマッピング関係を、基地局から送信されるハイレイヤシグナリングによって特定するプロセスを実行する、請求項３８に記載の端末。
【請求項４６】
前記プロセッサは、前記コンピュータプログラムを実行すると、
新規に確立するベアラのベアラＩＤとビットマップとのマッピング関係が付帯されたベアラ新規確立指令に基づいて、新規に確立するベアラのベアラＩＤとビットマップとのマッピング関係を特定するプロセス、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報が付帯されたベアラ解放指令に基づいて、解放が必要なベアラのベアラＩＤとビットマップとのマッピング関係を解除するプロセス、および／または、
修正後ベアラのベアラＩＤとビットマップとのマッピング関係が付帯されたベアラ修正指令に基づいて、修正後ベアラのベアラＩＤとビットマップとのマッピング関係を特定するプロセスを実行する、請求項４５に記載の端末。
【請求項４７】
前記プロセッサは、前記コンピュータプログラムを実行すると、
目標ベアラのベアラＩＤとビットマップとのマッピング関係である第１マッピング関係および前記目標ベアラの目標分岐とビットマップとのマッピング関係である第２マッピング関係を基地局から受信するプロセスと、
ここで、前記基地局から、目標ベアラの目標分岐に対し所定操作を行い、かつ前記目標ベアラには、前記所定操作が可能な分岐を少なくとも２つ構成可能である場合、第１マッピング関係および第２マッピング関係が送信され、
前記第１マッピング関係および前記第２マッピング関係に基づいて、前記目標ベアラの目標分岐に対し所定操作を行うプロセスとを実行する、請求項３８に記載の端末。
【請求項４８】
コンピュータプログラムが記憶されているコンピュータ読み取り可能な記憶媒体であって、
前記コンピュータプログラムがプロセッサによって実行されると、請求項１１〜２０のいずれか一項に記載のベアラマッピング方法のステップが実現される、コンピュータ読み取り可能な記憶媒体。
【発明の詳細な説明】
【技術分野】
【０００１】
本願は、２０１７年８月１１日に中国特許庁に提出された中国特許出願２０１７１０６８６９１７．５の優先権を主張し、その全ての内容が援用によりここに取り込まれる。
本開示は、通信応用の技術分野に係り、特にベアラマッピング方法、装置、基地局および端末に係る。
【背景技術】
【０００２】
移動通信システムにおいて、４Ｇ／５Ｇ技術の発展に伴い、トラフィックの信頼性および適時性を求めるために、デュアルリンクおよびキャリアアグリゲーション（ＣＡ）、繰り返し伝送（ｄｕｐｌｉｃａｔｉｏｎ）などの技術が導入されている。１つのデータベアラＤＲＢでは、複数の分岐を確立してデータの繰り返し伝送を行うことができる。ネットワーク側から、あるベアラのある分岐に対する活性化または非活性化などの制御行為をＭＡＣ  ＣＥによってＵＥに通知する。ＵＥでは同時に複数のベアラの確立が可能であり、各ベアラでは複数の分岐を確立可能であるため、活性化または非活性化が必要なベアラおよびその分岐をネットワーク側からＭＡＣ  ＣＥによってＵＥ側に通知する際に、活性化／非活性化を繰り返し伝送するＭＡＣ  ＣＥのｂｉｔｍａｐとベアラとのマッピング関係に対しネットワーク側と端末側の両側での統一化、および、ベアラの確立、修正および削除の際におけるマッピング関係の保守について、まだ明確な解決手段がない。
【発明の概要】
【発明が解決しようとする課題】
【０００３】
本開示の目的は、活性化／非活性化を繰り返し伝送するＭＡＣ  ＣＥのｂｉｔｍａｐとベアラとのマッピング関係をネットワーク側と端末側の両側で統一化する問題を解決するために、ベアラマッピング方法、装置、基地局および端末を提供することにある。
課題を解決するための手段
【０００４】
上記目的を実現するために、本開示は、基地局に応用されるベアラマッピング方法を提供する。
当該方法において、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で指示することを含む。
【０００５】
ここで、ベアラＩＤとＭＡＣ  ＣＥのビットマップとのマッピング関係を暗黙的な方式で指示することは、
所定プロトコルの取り決めによって、前記ベアラＩＤを所定ソートルールでソートしてベアラＩＤ系列を得るように端末に指示するとともに、前記ベアラＩＤ系列のうちの各前記ベアラＩＤとＭＡＣ  ＣＥのビットマップとのマッピング関係を指示することを含む。
【０００６】
ここで、前記所定ソートルールは、
ベアラの確立または修正の時間順にソートし、または、ベアラＩＤの逓増または逓減の順にソートすることを含む。
【０００７】
ここで、前記ベアラＩＤ系列のうちの各前記ベアラＩＤとＭＡＣ  ＣＥのビットマップとのマッピング関係を指示することは、
前記ベアラＩＤ系列のうちのＮ（正整数）個のベアラＩＤをビットマップのうちのＮ個の連続する位置にマッピングするように指示することを含み、
ここで、ベアラＩＤとビットマップのうちの位置とは、一対一に対応する。
【０００８】
ここで、前記の前記ベアラＩＤ系列のうちのＮ個のベアラＩＤをビットマップのうちのＮ個の連続する位置にマッピングするように指示することは、
前記ベアラＩＤ系列のうちのＮ個のベアラＩＤをビットマップのうちのＮ個の連続する位置に所定マッピングルールで順にマッピングするように指示することを含み、
前記所定マッピングルールは、
高位から低位へマッピングするマッピングルールまたは低位から高位へマッピングするマッピングルールを含む。
【０００９】
ここで、前記ベアラＩＤ系列のうちの各前記ベアラＩＤとＭＡＣ  ＣＥのビットマップとのマッピング関係を指示した後に、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加すること、および／または、
ベアラの解放の際に、解放が必要なベアラのベアラＩＤを前記ベアラＩＤ系列から削除すること、および／または、
ベアラの修正の際に、前記所定ソートルールに基づいて前記ベアラＩＤ系列を更新することをさらに含む。
【００１０】
ここで、ベアラの修正の際に、前記所定ソートルールに基づいて前記ベアラＩＤ系列を更新することは、
ベアラのベアラＩＤを修正するのであれば、修正後のベアラＩＤおよび前記所定ソートルールに基づいて前記ベアラＩＤ系列を更新することと、
ベアラのベアラＩＤを修正しないのであれば、前記所定ソートルールに基づいて前記ベアラＩＤ系列を更新することとを含む。
【００１１】
ここで、ベアラＩＤとＭＡＣ  ＣＥのビットマップとのマッピング関係を明示的な方式で指示することは、
前記ベアラＩＤとＭＡＣ  ＣＥのビットマップとのマッピング関係をハイレイヤシグナリングによって指示することを含む。
【００１２】
ここで、前記の前記ベアラＩＤとＭＡＣ  ＣＥのビットマップとのマッピング関係をハイレイヤシグナリングによって指示することは、
新規に確立するベアラのベアラＩＤとビットマップとのマッピング関係をベアラ新規確立指令に付帯すること、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報を、ベアラ解放指令に付帯すること、および／または、
修正後ベアラのベアラＩＤとビットマップとのマッピング関係をベアラ修正指令に付帯することを含む。
【００１３】
ここで、前記のベアラＩＤとＭＡＣ  ＣＥのビットマップとのマッピング関係を暗黙的または明示的な方式で指示した後に、
目標ベアラの目標分岐に対し所定操作を行い、かつ前記目標ベアラには、前記所定操作が可能な分岐を少なくとも２つ構成可能である場合、前記目標ベアラのベアラＩＤとビットマップとの第１マッピング関係および目標分岐の分岐ＩＤとビットマップとの第２マッピング関係を端末に送信することをさらに含む。
【００１４】
上記目的を実現するために、本開示は、端末に応用されるベアラマッピング方法をさらに提供する。
当該方法において、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定することを含む。
【００１５】
ここで、ベアラＩＤとＭＡＣ  ＣＥのビットマップとのマッピング関係を暗黙的な方式で特定することは、
所定プロトコルの取り決めによって、前記ベアラＩＤを所定ソートルールでソートしてベアラＩＤ系列を得るとともに、前記ベアラＩＤ系列のうちの各ベアラＩＤと前記ＭＡＣ  ＣＥのビットマップとのマッピング関係を特定することを含む。
【００１６】
ここで、前記所定ソートルールは、
ベアラの確立または修正の時間順にソートし、または、ベアラＩＤの逓増または逓減の順にソートすることを含む。
【００１７】
ここで、前記ベアラＩＤ系列のうちの各ベアラＩＤと前記ＭＡＣ  ＣＥのビットマップとのマッピング関係を特定することは、
前記ベアラＩＤ系列のうちのＮ（正整数）個のベアラＩＤをビットマップのうちのＮ個の連続する位置にマッピングすることを含み、
ここで、ベアラＩＤとビットマップのうちの位置とは、一対一に対応する。
【００１８】
ここで、前記の前記ベアラＩＤ系列のうちのＮ個のベアラＩＤをビットマップのうちのＮ個の連続する位置にマッピングすることは、
前記ベアラＩＤ系列のうちのＮ個のベアラＩＤをビットマップのうちのＮ個の連続する位置に所定マッピングルールで順にマッピングすることを含み、
前記所定マッピングルールは、
高位から低位へマッピングするマッピングルールまたは低位から高位へマッピングするマッピングルールを含む。
【００１９】
ここで、前記ベアラＩＤ系列のうちの各ベアラＩＤと前記ＭＡＣ  ＣＥのビットマップとのマッピング関係を特定した後に、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加すること、および／または、
ベアラの解放の際に、解放が必要なベアラのベアラＩＤを前記ベアラＩＤ系列から削除すること、および／または、
ベアラの修正の際に、前記所定ソートルールに基づいて前記ベアラＩＤ系列を更新することをさらに含む。
【００２０】
ここで、ベアラの修正の際に、前記所定ソートルールに基づいて前記ベアラＩＤ系列を更新することは、
ベアラのベアラＩＤを修正するのであれば、修正後のベアラＩＤおよび前記所定ソートルールに基づいて前記ベアラＩＤ系列を更新することと、
ベアラのベアラＩＤを修正しないのであれば、前記所定ソートルールに基づいて前記ベアラＩＤ系列を更新することとを含む。
【００２１】
ここで、ベアラＩＤとＭＡＣ  ＣＥのビットマップとのマッピング関係を明示的な方式で特定することは、
前記ベアラＩＤとＭＡＣ  ＣＥのビットマップとのマッピング関係を、基地局から送信されるハイレイヤシグナリングによって特定することを含む。
【００２２】
ここで、前記ベアラＩＤとＭＡＣ  ＣＥのビットマップとのマッピング関係を、基地局から送信されるハイレイヤシグナリングによって特定することは、
新規に確立するベアラのベアラＩＤとビットマップとのマッピング関係が付帯されたベアラ新規確立指令に基づいて、新規に確立するベアラのベアラＩＤとビットマップとのマッピング関係を特定すること、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報が付帯されたベアラ解放指令に基づいて、解放が必要なベアラのベアラＩＤとビットマップとのマッピング関係を解除すること、および／または、
修正後ベアラのベアラＩＤとビットマップとのマッピング関係が付帯されたベアラ修正指令に基づいて、修正後ベアラのベアラＩＤとビットマップとのマッピング関係を特定することを含む。
【００２３】
ここで、上記ベアラマッピング方法において、
ここで、前記基地局から、目標ベアラの目標分岐に対し所定操作を行い、かつ前記目標ベアラには、前記所定操作が可能な分岐を少なくとも２つ構成可能である場合、第１マッピング関係および第２マッピング関係が送信され、
目標ベアラのベアラＩＤとビットマップとのマッピング関係である第１マッピング関係および前記目標ベアラの目標分岐とビットマップとのマッピング関係である第２マッピング関係を基地局から受信することと、
前記第１マッピング関係および前記第２マッピング関係に基づいて、前記目標ベアラの目標分岐に対し所定操作を行うこととをさらに含む。
【００２４】
上記目的を実現するために、本開示は、基地局に応用されるベアラマッピング装置をさらに提供する。
当該ベアラマッピング装置は、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で指示するための指示モジュールを含む。
【００２５】
ここで、前記指示モジュールは、
所定プロトコルの取り決めによって、前記ベアラＩＤを所定ソートルールでソートしてベアラＩＤ系列を得るように端末に指示するとともに、前記ベアラＩＤ系列のうちの各前記ベアラＩＤとＭＡＣ  ＣＥのビットマップとのマッピング関係を指示することに用いられる。
【００２６】
ここで、前記所定ソートルールは、
ベアラの確立または修正の時間順にソートし、または、ベアラＩＤの逓増または逓減の順にソートすることを含む。
【００２７】
ここで、前記指示モジュールは、
前記ベアラＩＤ系列のうちのＮ（正整数）個のベアラＩＤをビットマップのうちのＮ個の連続する位置にマッピングするように指示することに用いられ、
ここで、ベアラＩＤとビットマップのうちの位置とは、一対一に対応する。
【００２８】
ここで、前記指示モジュールは、
前記ベアラＩＤ系列のうちのＮ個のベアラＩＤをビットマップのうちのＮ個の連続する位置に所定マッピングルールで順にマッピングするように指示することに用いられ、
前記所定マッピングルールは、
高位から低位へマッピングするマッピングルールまたは低位から高位へマッピングするマッピングルールを含む。
【００２９】
ここで、上記ベアラマッピング装置は、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加するための第１更新モジュール、および／または、
ベアラの解放の際に、解放が必要なベアラのベアラＩＤを前記ベアラＩＤ系列から削除するための第２更新モジュール、および／または、
ベアラの修正の際に、前記所定ソートルールに基づいて前記ベアラＩＤ系列を更新するための第３更新モジュールをさらに含む。
【００３０】
ここで、前記第３更新モジュールは、
ベアラのベアラＩＤを修正するのであれば、修正後のベアラＩＤおよび前記所定ソートルールに基づいて前記ベアラＩＤ系列を更新するための第１更新ユニットと、
ベアラのベアラＩＤを修正しないのであれば、前記所定ソートルールに基づいて前記ベアラＩＤ系列を更新するための第２更新ユニットとを含む。
【００３１】
ここで、前記指示モジュールは、
前記ベアラＩＤとＭＡＣ  ＣＥのビットマップとのマッピング関係をハイレイヤシグナリングによって指示することに用いられる。
【００３２】
ここで、前記指示モジュールは、
新規に確立するベアラのベアラＩＤとビットマップとのマッピング関係をベアラ新規確立指令に付帯するための第１処理サブモジュール、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報を、ベアラ解放指令に付帯するための第２処理サブモジュール、および／または、
修正後ベアラのベアラＩＤとビットマップとのマッピング関係をベアラ修正指令に付帯するための第３処理サブモジュールを含む。
【００３３】
ここで、上記ベアラマッピング装置は、
目標ベアラの目標分岐に対し所定操作を行い、かつ前記目標ベアラには、前記所定操作が可能な分岐を少なくとも２つ構成可能である場合、前記目標ベアラのベアラＩＤとビットマップとの第１マッピング関係および目標分岐の分岐ＩＤとビットマップとの第２マッピング関係を端末に送信するための送信モジュールをさらに含む。
【００３４】
上記目的を実現するために、本開示は、メモリと、プロセッサと、メモリに記憶されてプロセッサで実行可能なコンピュータプログラムを含む基地局をさらに提供する。
前記プロセッサは、前記コンピュータプログラムを実行すると、
繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で指示するステップを実現する。
【００３５】
上記目的を実現するために、本開示は、コンピュータプログラムが記憶されているコンピュータ読み取り可能な記憶媒体をさらに提供する。
当該コンピュータプログラムがプロセッサによって実行されると、
繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で指示するステップが実現される。
【００３６】
上記目的を実現するために、本開示は、端末に応用されるベアラマッピング装置をさらに提供する。
当該ベアラマッピング装置は、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定するための特定モジュールを含む。
【００３７】
前記特定モジュールは、
所定プロトコルの取り決めによって、前記ベアラＩＤを所定ソートルールでソートしてベアラＩＤ系列を得るとともに、前記ベアラＩＤ系列のうちの各ベアラＩＤと前記ＭＡＣ  ＣＥのビットマップとのマッピング関係を特定することに用いられる。
【００３８】
ここで、前記所定ソートルールは、
ベアラの確立または修正の時間順にソートし、または、ベアラＩＤの逓増または逓減の順にソートすることを含む。
【００３９】
ここで、前記特定モジュールは、
前記ベアラＩＤ系列のうちのＮ（正整数）個のベアラＩＤをビットマップのうちのＮ個の連続する位置にマッピングすることに用いられ、
ここで、ベアラＩＤとビットマップのうちの位置とは、一対一に対応する。
【００４０】
ここで、前記特定モジュールは、
前記ベアラＩＤ系列のうちのＮ個のベアラＩＤをビットマップのうちのＮ個の連続する位置に所定マッピングルールで順にマッピングすることに用いられ、
前記所定マッピングルールは、
高位から低位へマッピングするマッピングルールまたは低位から高位へマッピングするマッピングルールを含む。
【００４１】
ここで、上記ベアラマッピング装置は、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加するための第４更新モジュール、および／または、
ベアラの解放の際に、解放が必要なベアラのベアラＩＤを前記ベアラＩＤ系列から削除するための第５更新モジュール、および／または、
ベアラの修正の際に、前記所定ソートルールに基づいて前記ベアラＩＤ系列を更新するための第６更新モジュールをさらに含む。
【００４２】
ここで、前記第６更新モジュールは、
ベアラのベアラＩＤを修正するのであれば、修正後のベアラＩＤおよび前記所定ソートルールに基づいて前記ベアラＩＤ系列を更新するための第３更新ユニットと、
ベアラのベアラＩＤを修正しないのであれば、前記所定ソートルールに基づいて前記ベアラＩＤ系列を更新するための第４更新ユニットとを含む。
【００４３】
ここで、前記特定モジュールは、
前記ベアラＩＤとＭＡＣ  ＣＥのビットマップとのマッピング関係を、基地局から送信されるハイレイヤシグナリングによって特定することに用いられる。
【００４４】
ここで、前記特定モジュールは、
新規に確立するベアラのベアラＩＤとビットマップとのマッピング関係が付帯されたベアラ新規確立指令に基づいて、新規に確立するベアラのベアラＩＤとビットマップとのマッピング関係を特定するための第１特定サブモジュール、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報が付帯されたベアラ解放指令に基づいて、解放が必要なベアラのベアラＩＤとビットマップとのマッピング関係を解除するための第２特定サブモジュール、および／または、
修正後ベアラのベアラＩＤとビットマップとのマッピング関係が付帯されたベアラ修正指令に基づいて、修正後ベアラのベアラＩＤとビットマップとのマッピング関係を特定するための第３特定サブモジュールを含む。
【００４５】
ここで、上記ベアラマッピング装置は、
目標ベアラのベアラＩＤとビットマップとのマッピング関係である第１マッピング関係および前記目標ベアラの目標分岐とビットマップとのマッピング関係である第２マッピング関係を基地局から受信するための受信モジュールと、
ここで、前記基地局から、目標ベアラの目標分岐に対し所定操作を行い、かつ前記目標ベアラには、前記所定操作が可能な分岐を少なくとも２つ構成可能である場合、第１マッピング関係および第２マッピング関係が送信され、
前記第１マッピング関係および前記第２マッピング関係に基づいて、前記目標ベアラの目標分岐に対し所定操作を行うための処理モジュールとをさらに含む。
【００４６】
上記目的を実現するために、本開示は、メモリと、プロセッサと、メモリに記憶されてプロセッサで実行可能なコンピュータプログラムを含む端末をさらに提供する。
前記プロセッサは、前記コンピュータプログラムを実行すると、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定するステップを実現する。
【００４７】
上記目的を実現するために、本開示は、コンピュータプログラムが記憶されているコンピュータ読み取り可能な記憶媒体をさらに提供する。
当該コンピュータプログラムがプロセッサによって実行されると、
繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定するステップが実現される。
【発明の効果】
【００４８】
本開示の上記技術手段において、ベアラＩＤとＭＡＣ  ＣＥのビットマップとのマッピング関係を、暗黙的または明示的な方式で指示することによって、端末側とネットワーク側ではビットマップのうちの各ビットに代表されるベアラを特定可能であり、さらに、ネットワーク側と端末側とは、活性化または非活性化が必要なベアラ及びその分岐をＭＡＣ  ＣＥによって明確化することができる。
【図面の簡単な説明】
【００４９】
【図１】本開示の一部実施例におけるベアラマッピング方法の第１動作フローである。
【図２】本開示の一部実施例におけるベアラマッピング方法の第２動作フローである。
【図３】本開示の一部実施例におけるベアラマッピング装置の第１モジュール図である。
【図４】本開示の一部実施例におけるベアラマッピング装置の第２モジュール図である。
【図５】本開示の一部実施例における基地局の構造ブロック図である。
【図６】本開示の一部実施例におけるベアラマッピング装置の第３モジュール図である。
【図７】本開示の一部実施例におけるベアラマッピング装置の第４モジュール図である。
【図８】本開示の一部実施例における端末の構造ブロック図である。
【発明を実施するための形態】
【００５０】
本開示の解決しようとする技術課題、技術手段及び利点をより明確にするために、以下、具体的な実施例及び図面を通じて詳細に記載する。
【００５１】
本開示の一部実施例は、ベアラマッピング方法、装置、基地局および端末を提供し、活性化／非活性化を繰り返し伝送するＭＡＣ  ＣＥのｂｉｔｍａｐとベアラとのマッピング関係をネットワーク側と端末側の両側で統一化する問題を解決する。
【００５２】
図１に示すように、本開示の一部実施例において、基地局に応用されるベアラマッピング方法を提供する。
当該方法において、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で指示するステップ１０１を含む。
【００５３】
ここで、ＭＡＣ層では、ＭＡＣ  ＣＥの形式によって、ベアラデータパケットの繰り返し伝送（ｄｕｐｌｉｃａｔｉｏｎ）機能の活性化または非活性化を制御する。具体的に、ＭＡＣ層では、ベアラの活性化または非活性化を指示するビットマップをＭＡＣ  ＣＥに付帯し、ビットマップのうちの各ビットは、繰り返し伝送機能を有するように構成されたベアラに一対一に対応する。ＵＥ側は、ネットワーク側のＭＡＣ  ＣＥに付帯されるビットマップのうちのビットが「０」または「１」であることから、対応する位置のベアラに対し、対応する繰り返し伝送データパケットの活性化または非活性化が必要であるかを特定し、結果をハイレイヤに知らせることができる。ＰＤＣＰ（Ｐａｃｋｅｔ  Ｄａｔａ  Ｃｏｎｖｅｒｇｅｎｃｅ  Ｐｒｏｔｏｃｏｌ）層では、活性化または非活性化状態に基づいて、対応するＲＬＣ（Ｒａｄｉｏ  Ｌｉｎｋ  Ｃｏｎｔｒｏｌ）エンティティおよび論理チャネルの使用および状態を決定する。
【００５４】
本開示の一部実施例のベアラマッピング方法において、ベアラＩＤとＭＡＣ  ＣＥのビットマップとのマッピング関係を、暗黙的または明示的な方式で指示することによって、端末側とネットワーク側ではビットマップのうちの各ビットに代表されるベアラを特定可能であり、さらに、ネットワーク側と端末側とは、活性化または非活性化が必要なベアラ及びその分岐をＭＡＣ  ＣＥによって明確化することができる。
【００５５】
さらに、本開示の一部実施例において、ベアラＩＤとＭＡＣ  ＣＥのビットマップとのマッピング関係を暗黙的な方式で指示することは、
所定プロトコルの取り決めによって、前記ベアラＩＤを所定ソートルールでソートしてベアラＩＤ系列を得るように端末に指示するとともに、前記ベアラＩＤ系列のうちの各前記ベアラＩＤとＭＡＣ  ＣＥのビットマップとのマッピング関係を指示することを含む。
【００５６】
ここで、前記所定ソートルールは、ベアラの確立または修正の時間順にソートし、または、ベアラＩＤの逓増または逓減の順にソートすることを含む。
【００５７】
さらに、前記ベアラＩＤ系列のうちの各前記ベアラＩＤとＭＡＣ  ＣＥのビットマップとのマッピング関係を指示することは、
前記ベアラＩＤ系列のうちのＮ（正整数）個のベアラＩＤをビットマップのうちのＮ個の連続する位置にマッピングするように指示することを含み、
ここで、ベアラＩＤとビットマップのうちの位置とは、一対一に対応する。
【００５８】
具体的に、前記ベアラＩＤ系列のうちのＮ個のベアラＩＤをビットマップのうちのＮ個の連続する位置に所定マッピングルールで順にマッピングするように指示する。
前記所定マッピングルールは、高位から低位へマッピングするマッピングルールまたは低位から高位へマッピングするマッピングルールを含む。
【００５９】
本開示の一部実施例において、ネットワーク側と端末側のＭＡＣ層では、活性化／非活性化を繰り返し伝送するＭＡＣ  ＣＥのビットマップと繰り返し伝送のベアラとのマッピング関係を統一化するために、両方では、統一化されたベアラＩＤ系列を保守する必要があり、活性化または非活性化が必要なベアラＩＤをビットマップのマッピング形式によってネットワーク側から端末側に通知する。当該ベアラＩＤ系列は、ビットマップへマッピングする際に、ビットマップの高位から低位への順に一対一に対応してもよく、ビットマップの低位から高位への順に一対一に対応してもよい。
【００６０】
さらに、前記ベアラＩＤ系列のうちの各前記ベアラＩＤとＭＡＣ  ＣＥのビットマップとのマッピング関係を指示した後に、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加すること、および／または、
ベアラの解放の際に、解放が必要なベアラのベアラＩＤを前記ベアラＩＤ系列から削除すること、および／または、
ベアラの修正の際に、前記所定ソートルールに基づいて前記ベアラＩＤ系列を更新することをさらに含む。
【００６１】
本開示の一部実施例において、ネットワーク側と端末側では、ベアラの確立または修正の時間順またはベアラＩＤの大小順に基づいて、ベアラとビットマップとのマッピング関係を暗黙的に確立して保守する。
【００６２】
この際に、ベアラのベアラＩＤを修正するのであれば、修正後のベアラＩＤおよび前記所定ソートルールに基づいて前記ベアラＩＤ系列を更新するが、ベアラのベアラＩＤを修正しないのであれば、前記所定ソートルールに基づいて前記ベアラＩＤ系列を更新する。
【００６３】
以下、ベアラの確立、修正および解放シーンで、暗黙的な方式で上記マッピング関係の確立及び保守を行うことを具体的に説明する。
【００６４】
本開示の一部実施例において、１つのベアラを新規に確立することは、繰り返し伝送機能を有するベアラを新規に確立することを指し、具体的に、繰り返し伝送機能を有するベアラをハイレイヤシグナリングによって新規に確立し、または、非繰り返し伝送機能のベアラを繰り返し伝送機能を有するベアラに修正する。本開示の一部実施例において、１つのベアラを解放することは、繰り返し伝送機能を有するベアラを解放することを指し、具体的に、繰り返し伝送機能を有するベアラをハイレイヤシグナリングによって解放し、または、繰り返し伝送機能を有するベアラを非繰り返し伝送機能のベアラに修正する。本開示の一部実施例において、１つのベアラを修正することは、繰り返し伝送機能を有するベアラを修正することを指す。
【００６５】
（１）ベアラの確立または修正の時間順にソートする。
ベアラの確立または修正の順にソートし、最初に確立されるベアラＩＤまたは修正されるベアラＩＤは、ベアラＩＤ系列の先頭に排列され、または、確立される最新ベアラまたは修正されるベアラは、ベアラＩＤ系列の先頭に排列される。ネットワーク側と端末側では、確立済みのベアラに対し、同様のルール、すなわち、先に確立されるベアラまたは修正されるベアラがベアラＩＤ系列の先頭に排列され、または、確立される最新ベアラまたは修正されるベアラがベアラＩＤ系列の先頭に排列されるというルールで、ベアラＩＤ系列を統一的に保守する。ベアラの確立、修正または削除シーンについて、ベアラＩＤ系列の保守原則は、以下である。
【００６６】
１．１．ベアラの確立
新規に確立するベアラの場合、新規に確立するベアラのＩＤを、上記の決められている所定ソートルールで、ベアラＩＤ系列の先頭または末尾に排列してベアラＩＤ系列を保守する。ベアラの確立が失敗すると、元のベアラＩＤ系列を維持する。
【００６７】
１．２．確立済みベアラの解放
確立済みのベアラを解放する際に、当該ベアラＩＤをベアラＩＤ系列から削除し、残りのベアラＩＤの位置を調整し、残りのベアラＩＤのソート順を維持し、マッピング位置の連続性を保持する。
【００６８】
１．３．確立済みベアラの修正
１．３１．確立済みベアラのベアラＩＤを修正する場合、以下の方法でベアラＩＤ系列を保守する。
当該ベアラの確立時間をソート基準とし、保守時間を考慮しない。ベアラＩＤ系列では、新規のベアラＩＤで古いベアラＩＤを取り換え、当該ベアラＩＤのベアラＩＤ系列における位置を維持する。
または、ベアラ修正時間でソートし、元のベアラを解放して新規のベアラを確立する方式でベアラＩＤ系列を保守する。すなわち元のベアラＩＤをベアラＩＤ系列から削除し、新規のベアラＩＤの修正時間に基づいて、新規ベアラＩＤをベアラ新規確立の原則でベアラＩＤ系列の対応位置に追加する。
１．３２．確立済みベアラに対しそのＩＤを修正せず、ほかの設定を修正する場合、以下の方法でベアラＩＤ系列を保守する。
当該ベアラの確立時間をソート基準とし、ベアラＩＤ系列を処理せず、当該ベアラのベアラＩＤ系列における位置を維持する。
または、ベアラ修正時間をソート基準とし、元のベアラを解放して新規のベアラを確立する方式でベアラＩＤ系列を保守する。すなわち当該ＩＤをベアラＩＤ系列から削除し、当該ベアラの修正時間に基づいて、当該ベアラＩＤをベアラ新規確立の原則でベアラＩＤ系列に追加する。
ベアラの修正が失敗し、ベアラが解放されない場合、元のベアラＩＤ系列を維持してもよく、修正原則で新規のベアラＩＤ系列を使用してもよい。ベアラの修正が失敗し、ベアラが解放される場合、１．２の確立済みベアラの解放原則でベアラＩＤ系列を更新する。
【００６９】
また、複数のベアラを同時に確立、修正または解放する場合について、以下のように具体的に説明する。
【００７０】
１．４．複数ベアラの同時確立／修正
１本のハイレイヤシグナリングに含まれるベアラ確立／修正リストには、少なくとも２つのベアラ確立／修正を含む場合、ベアラ確立／修正リストにおけるベアラの順番で、上記のベアラ新規確立シーンまたはベアラ修正シーンでの処理方式で順に処理する。すなわち、ベアラ確立／修正リストで先方のベアラは、上記処理方式で優先的に処理され、ベアラＩＤ系列への追加または修正が行われ、または、ベアラ確立／修正リストで後方のベアラは、上記処理方式で優先的に処理され、ベアラＩＤ系列への追加または修正が行われる。
【００７１】
１．５．複数ベアラの同時解放
ベアラ解放リストの順に、上記のベアラ解放シーンでの処理方式で順にベアラを処理してベアラＩＤ系列を保守する。ベアラ解放リストで先方のベアラは、ベアラ解放シーンでの処理方式で優先的に処理され、または、ベアラ解放リストで後方のベアラは、ベアラ解放シーンでの処理方式で優先的に処理される。
【００７２】
１．６．ベアラ確立／修正リストとベアラ解放リストが同時に存在する。
上記の複数ベアラの同時確立／修正の原則でベアラ確立／修正リストを優先的に処理し、上記の複数ベアラの同時解放の原則でベアラ解放リストを処理してベアラＩＤ系列を保守する。または、上記の複数ベアラの同時解放の原則でベアラ解放リストを優先的に処理し、上記の複数ベアラの同時確立／修正の原則でベアラ確立／修正リストを処理してベアラＩＤ系列を保守する。
【００７３】
（２）ベアラＩＤの逓増または逓減の順にベアラＩＤ系列を保守する。
すなわちベアラＩＤ系列は、確立済みベアラのＩＤの順またはその逆の順に排列される。新規追加のベアラについて、新規に確立するベアラのベアラＩＤとベアラ系列におけるベアラＩＤを逓増または逓減の順にベアラＩＤ系列に追加する。解放されるベアラについて、当該ベアラＩＤをベアラＩＤ系列から削除するとともに、残りのベアラＩＤの順番を保守する。修正されるベアラについて、ベアラが修正されたのであれば、元のＩＤをベアラ解放原則でベアラＩＤ系列から削除し、新規ＩＤをベアラ確立原則でソートし、ベアラの逓増または逓減の順を維持する。ベアラＩＤが修正されていなければ、元のベアラＩＤ系列を維持する。ベアラの確立、修正および解放は、ベアラＩＤ系列に対する調整について、ベアラマッピング関係の連続性を保持する必要があり、すなわちビットマップのうちの連続する複数の位置にマッピングされる。
【００７４】
さらに、ベアラＩＤとＭＡＣ  ＣＥのビットマップとのマッピング関係を明示的な方式で指示することは、
前記ベアラＩＤとＭＡＣ  ＣＥのビットマップとのマッピング関係をハイレイヤシグナリングによって指示することを含む。
【００７５】
ここで、ネットワーク側のハイレイヤから、ベアラ確立または修正などの関連シグナリングによって、ベアラとＭＡＣ層のビットマップとのマッピング関係を明示的に識別し、当該マッピング関係を端末側とネットワーク側とは共同で確立して保守する。
【００７６】
具体的に、新規に確立するベアラのベアラＩＤとビットマップとのマッピング関係をベアラ新規確立指令に付帯し、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報を、ベアラ解放指令に付帯し、および／または、
修正後ベアラのベアラＩＤとビットマップとのマッピング関係をベアラ修正指令に付帯する。
【００７７】
ここで、上記ベアラ新規確立指令は、繰り返し伝送機能を有するベアラを新規に確立し、または、非繰り返し伝送機能のベアラを繰り返し伝送機能を有するベアラに修正することに用いられる。上記のベアラ解放指令は、繰り返し伝送機能を有するベアラを解放し、または、繰り返し伝送機能を有するベアラを非繰り返し伝送機能のベアラに修正することに用いられる。上記の指示情報は、具体的に明示的なＩＥ、分岐数、ビットマップの無効ビットまたは設定しないことによって実現される。上記ベアラ修正指令は、繰り返し伝送機能を有するベアラを修正することに用いられる。
【００７８】
本開示の一部実施例において、ハイレイヤのベアラ確立プロセスで、当該ベアラの索引位置を示すＩＥプレーンテキストを新規に追加する。ベアラＩＤと索引位置とを一対一に対応させ、当該対応関係がハイレイヤによって割り当てられ、当該系列がハイレイヤとＭＡＣとは共同で保守される。
【００７９】
ハイレイヤでは、ベアラ修正の際に当該ベアラＩＤおよび／または索引位置を変更させ、ボトムレイヤでは、当該ベアラのベアラＩＤと索引位置との新規のマッピング関係を調整する。当該ベアラの索引位置が修正されるのであれば、古い索引位置とベアラＩＤとのマッピング関係を解除し、古い索引位置の属性を、新規のベアラが使用できるようにセットする。ベアラマッピング関係の修正が失敗すると、元のベアラマッピング関係を維持する。
【００８０】
ベアラ解放の際に、ボトムレイヤでは、解放されるベアラとその索引位置とのマッピング関係を解除し、当該索引位置が新規のベアラにマッピングすることができる。ハイレイヤから割り当てられるベアラの索引位置は、非連続的であってもよく、すなわちビットマップのうちの非連続の複数の位置にマッピングすることができる。
【００８１】
ベアラの確立、修正または解放プロセスで、ベアラとビットマップとのマッピング関係が変更するため、当該プロセスにおいて、ボトムレイヤによるＭＡＣ  ＣＥ形式のベアラ活性化または非活性化行為が許容されず、そうでなければ、ＵＥ側とネットワーク側の不一致が生じる。
【００８２】
本開示の一部実施例において、シグナリングベアラＳＲＢとデータベアラＤＲＢの異なるベアラ属性に基づいて、２種類のベアラタイプには、異なる管理方式が必要である可能性があるため、ＭＡＣ層でＤＲＢとＳＲＢを明確に区分するために、ビットマップの最高位から連続Ｎ（確立可能なＳＲＢ数によって決められる）ビットをＳＲＢベアラにマッピングすると規定してもよく、ビットマップの低位から連続ＮビットをＳＲＢベアラにマッピングすると規定してもよい。ＳＲＢの使用ルールは、ＤＲＢとは異なってもよい。上記のベアラＩＤの暗黙的マッピング方法は、ＤＲＢとＳＲＢのベアラＩＤマッピング関係の確立と保守にそれぞれ適用可能であり、明示的なマッピング方法では、ハイレイヤシグナリングによって、ベアラＩＤ系列にマッピングされる位置を明示的に識別する。当該位置は、ビットマップの絶対位置であってもよい。ハイレイヤは、ＳＲＢのリザーブビットに基づいて、ＳＲＢ、ＤＲＢベアラの位置を割り当てる。当該位置は、ＳＲＢまたはＤＲＢの開始位置に対する相対的な位置であってもよい。
【００８３】
本開示の一部実施例のベアラマッピング方法において、ネットワーク側とＵＥとは、ＭＡＣ層によって共同で保守されるベアラＩＤ系列を通じて、ビットマップによって活性化または非活性化が必要なベアラに共同でアドレッシングすることができる。
【００８４】
この際に、本開示の一部実施例のベアラマッピング方法において、上記ステップ１０１の後に、
目標ベアラの目標分岐に対し所定操作を行い、かつ前記目標ベアラには、前記所定操作が可能な分岐を少なくとも２つ構成可能である場合、前記目標ベアラのベアラＩＤとビットマップとの第１マッピング関係および目標分岐の分岐ＩＤとビットマップとの第２マッピング関係を端末に送信することをさらに含む。
【００８５】
ここの所定操作は、具体的に活性化操作または非活性化操作である。上記第１マッピング関係と上記第２マッピング関係を端末に送信することによって、端末は、前記第１マッピング関係および前記第２マッピング関係に基づいて、前記目標ベアラの目標分岐に対し活性化操作または非活性化操作を行う。
【００８６】
なお、各ベアラに最多で２つの分岐しか構成できない場合、プライマリ分岐とセカンダリ分岐を区分し、かつプライマリ分岐がＭＡＣ  ＣＥによって修正されず、セカンダリ分岐のみに対し活性化または非活性化などの行為を行うのであれば、活性化または非活性化を行う際に、ＭＡＣでは、アドレッシングベアラ以外の情報を別途提供する必要がなく、ＵＥ側とネットワーク側の両方とも、活性化または非活性化が必要なベアラの分岐を識別することができる。
【００８７】
各ベアラに最多で２つの分岐しか構成できない場合、プライマリ分岐とセカンダリ分岐を区分せず、２つの分岐が平等であれば、プライマリ分岐とセカンダリ分岐で活性化または非活性化を行う際に、基地局側からアドレッシングベアラ以外の情報を提供してアドレッシングを行う必要がある。
【００８８】
各ベアラに最多で２より多い分岐を構成でき、かつプライマリ分岐とセカンダリ分岐を区分する場合、セカンダリ分岐で活性化または非活性化を行う際に、基地局側からアドレッシングベアラ以外の情報を提供する必要がある。プライマリ分岐とセカンダリ分岐を区分しない場合、すべての分岐では、活性化または非活性化を行う際に、基地局側からアドレッシングベアラ以外の情報を提供してアドレッシングを行う必要がある。
【００８９】
基地局からアドレッシングベアラ以外の情報を提供して活性化または非活性化およびほかの行為が必要な分岐情報のアドレッシングを行う場合、ＭＡＣ  ＣＥにおける余分のビットマップによって実現可能であり、ＭＡＣ  ＣＥでベアラＩＤを指示するビットマップと組み合わせて使用することによって、活性化または非活性化（またはほかの行為）が必要なベアラの１つまたは複数の分岐をＵＥ側に通知する。ネットワーク側とＵＥ側の間の分岐の対応関係を統一化するために、ハイレイヤでベアラを構成する際に、活性化または非活性化が可能な分岐の論理チャネルＩＤまたはほかの、当該分岐を識別可能なＩＤを順にボトムＭＡＣに提供する。ＭＡＣでは、当該順番で高位から低位へビットマップに対応し、または低位から高位へビットマップに対応し、またはｉｎｄｅｘの形式で分岐を識別するが、各分岐の論理チャネルＩＤまたはほかの当該分岐を示すことのできるＩＤで正順または逆順の方式でビットマップまたはｉｎｄｅｘにマッピングしてもよい。ネットワーク側では、ベアラの活性化または非活性化の際に、上記ベアラＩＤのマッピング関係をＭＡＣ  ＣＥに付帯し、同時に当該ベアラの補助となる分岐ＩＤのマッピング関係を付帯して、活性化または非活性化またはほかの行為が必要なベアラおよび分岐をＵＥ側に通知する。
【００９０】
また、プライマリ分岐とセカンダリ分岐を区分する必要がある場合、プライマリ分岐の論理チャネルＩＤまたはほかの当該分岐を識別するＩＤが初期設定であれば、ハイレイヤでベアラを構成する際に、セカンダリ分岐の論理チャネルＩＤまたはほかの当該分岐を識別可能なＩＤのみを付帯する。プライマリ分岐の論理チャネルＩＤまたはほかの当該分岐を識別するＩＤがハイレイヤによって構成される場合、ネットワーク側から構成する際に、プライマリ分岐のＩＤとセカンダリ分岐のＩＤを２つのＩＥにそれぞれ付帯させ、または、すべてのＩＤのうちの一つ目のＩＤをプライマリ分岐ＩＤとし、または最後のＩＤをプライマリ分岐ＩＤとする。
【００９１】
本開示の一部実施例のベアラマッピング方法において、ベアラＩＤとＭＡＣ  ＣＥのビットマップとのマッピング関係を、暗黙的または明示的な方式で指示することによって、端末側とネットワーク側ではビットマップのうちの各ビットに代表されるベアラを特定可能であり、さらに、ネットワーク側と端末側とは、活性化または非活性化が必要なベアラ及びその分岐をＭＡＣ  ＣＥによって明確化することができる。
【００９２】
以下、本開示の一部の実施例を次のように説明する。
【００９３】
本開示の一部の実施例において、１つのベアラを新規に確立することは、繰り返し伝送機能を有するベアラを新規に確立することを指し、具体的に、繰り返し伝送機能を有するベアラをハイレイヤシグナリングによって新規に確立し、または、非繰り返し伝送機能のベアラを繰り返し伝送機能を有するベアラに修正する。本開示の一部実施例において、１つのベアラを解放することは、繰り返し伝送機能を有するベアラを解放することを指し、具体的に、繰り返し伝送機能を有するベアラをハイレイヤシグナリングによって解放し、または、繰り返し伝送機能を有するベアラを非繰り返し伝送機能のベアラに修正する。本開示の一部実施例において、１つのベアラを修正することは、繰り返し伝送機能を有するベアラを修正することを指す。
【００９４】
実施例１：ベアラを新規に確立する際に、ベアラ確立順にマッピング関係を保守する。
ベアラＩＤ系列が存在するとし、当該ベアラＩＤ系列が具体的にＲＢ１，ＲＢ２，…，ＲＢｋ−１，ＲＢｋ，ＲＢｋ＋１，…，ＲＢｎである。新規に確立するベアラをＲＢｎ＋１とし、新規に確立するベアラが系列の末尾に排列されることをソート原則とすると、当該ベアラ系列は、ＲＢ１，ＲＢ２，…，ＲＢｋ−１，ＲＢｋ，ＲＢｋ＋１，…，ＲＢｎ，ＲＢｎ＋１に更新される。
【００９５】
実施例２：ベアラ解放の際に、ベアラ確立順にマッピング関係を保守する。
ベアラＩＤ系列が存在するとし、当該ベアラＩＤ系列が具体的にＲＢ１，ＲＢ２，…，ＲＢｋ−１，ＲＢｋ，ＲＢｋ＋１，…，ＲＢｎである。解放されるベアラがＲＢｋであると、当該ベアラＩＤをベアラＩＤ系列から削除し、新規のベアラＩＤ系列のＲＢ１，ＲＢ２，…，ＲＢｋ−１，ＲＢｋ＋１，…，ＲＢｎに調整する。
【００９６】
実施例３：ベアラ修正の際に、ベアラ確立順にマッピング関係を保守する。
ベアラＩＤ系列が存在するとし、当該ベアラＩＤ系列が具体的にＲＢ１，ＲＢ２，…，ＲＢｋ−１，ＲＢｋ，ＲＢｋ＋１，…，ＲＢｎである。修正されるベアラをＲＢｋとし、ベアラの確立時間をソートルールとし、修正時間を考慮しないとすると、ベアラＩＤに変化が生じなければ、当該ベアラ系列は、相変わらずＲＢ１，ＲＢ２，…，ＲＢｋ−１，ＲＢｋ，ＲＢｋ＋１，…，ＲＢｎである。ベアラＩＤに変化が生じていれば、当該ベアラ系列は、ＲＢ１，ＲＢ２，…，ＲＢｋ−１，ＲＢｋ’，ＲＢｋ＋１，…，ＲＢｎに修正される。すなわち、元のＲＢｋがＲＢｋ’に変わるが、当該ベアラの位置に変化が生じていない。
修正されるベアラをＲＢｋとし、ベアラの修正時間をソートルールとし、かつベアラＩＤに変化が生じていなければ、新規のベアラ系列は、ＲＢ１，ＲＢ２，…，ＲＢｋ−１，ＲＢｋ＋１，…ＲＢｎ，ＲＢｋまたはＲＢｋ，ＲＢ１，ＲＢ２，…，ＲＢｋ−１，ＲＢｋ＋１，…ＲＢｎに変わり、原則が実施例１とは同じである。ベアラＩＤに変化が生じたのであれば、ベアラＩＤがＲＢｋからＲＢｋ’に修正されると、新規のベアラＩＤ系列は、ＲＢ１，ＲＢ２，…，ＲＢｋ−１，ＲＢｋ＋１，…ＲＢｎ，ＲＢｋ’またはＲＢｋ’，ＲＢ１，ＲＢ２，…，ＲＢｋ−１，ＲＢｋ＋１，…ＲＢｎに変わり、原則が実施例１とは同じである。
【００９７】
実施例４：ベアラの新規確立の際に、ベアラＩＤの大小に基づいてマッピング関係を維持する。
ベアラＩＤ系列が存在するとし、当該ベアラＩＤ系列が具体的にＲＢ１，ＲＢ２，…，ＲＢｋ−１，ＲＢｋ，ＲＢｋ＋１，…，ＲＢｎである。新規に確立するベアラをＲＢｎ＋１とし、ベアラＩＤが逓増順のソート方式であれば、新規確立ベアラＩＤについて、ＲＢｎ＋１＞ＲＢｋしかもＲＢｎ＋１＜ＲＢｋ＋１の場合、新規ベアラＩＤ系列は、ＲＢ１，ＲＢ２，…，ＲＢｋ−１，ＲＢｋ，ＲＢｎ＋１，ＲＢｋ＋１，…ＲＢｎに調整される。ベアラＩＤが逓減順のソート方式であれば、新規確立ベアラＩＤについて、ＲＢｎ＋１＜ＲＢｋしかもＲＢｎ＋１＞ＲＢｋ＋１の場合、新規ベアラＩＤ系列は、ＲＢ１，ＲＢ２，…，ＲＢｋ−１，ＲＢｋ，ＲＢｎ＋１，ＲＢｋ＋１，…ＲＢｎに調整される
【００９８】
実施例５：ベアラ解放の際に、ベアラＩＤの大小に基づいてマッピング関係を維持する。
ベアラＩＤ系列が存在するとし、当該ベアラＩＤ系列が具体的にＲＢ１，ＲＢ２，…，ＲＢｋ−１，ＲＢｋ，ＲＢｋ＋１，…，ＲＢｎである。解放されるベアラがＲＢｋであると、新規のベアラＩＤ系列は、ＲＢ１，ＲＢ２，…，ＲＢｋ−１，ＲＢｋ＋１，…，ＲＢｎに調整される。
【００９９】
実施例６：ベアラ修正の際に、ベアラＩＤの大小に基づいてマッピング関係を維持する。
ベアラＩＤ系列が存在するとし、当該ベアラＩＤ系列が具体的にＲＢ１，ＲＢ２，…，ＲＢｋ−１，ＲＢｋ，ＲＢｋ＋１，…，ＲＢｎである。修正されるベアラがＲＢｋであり、ベアラＩＤが修正されていなければ、当該ベアラＩＤ系列は、変化が生じない。ベアラＩＤが修正されたのであれば、新規のベアラＩＤがＲＢｋ’であり、当該ベアラＩＤ系列が逓増順にソートされ、かつ新規のベアラＩＤについて、ＲＢｋ’＞ＲＢｍ、ＲＢｋ’＜ＲＢｍ＋１の場合、新規のベアラＩＤ系列は、ＲＢ１，ＲＢ２，…，ＲＢｋ−１，ＲＢｋ＋１，…，ＲＢｍ，ＲＢｋ’，ＲＢｍ＋１，…，ＲＢｎに調整される。ここで、ＲＢｍは、ＲＢｋ−１以下であるか、それより大きい。当該ベアラＩＤ系列が逓減順にソートされ、かつ新規のベアラＩＤについて、ＲＢｋ’＜ＲＢｌしかもＲＢｋ’＞ＲＢｍ＋１の場合、新規のベアラＩＤ系列は、ＲＢ１，ＲＢ２，…，ＲＢｋ−１，ＲＢｋ＋１，…，ＲＢｍ，ＲＢｋ’，ＲＢｍ＋１，…，ＲＢｎに調整される。ここで、ＲＢｍは、ＲＢｋ−１以下であるか、それより大きい。
【０１００】
実施例７：ベアラの新規確立の際に、ベアラＩＤ系列におけるベアラの位置をハイレイヤに基づいて明示的に識別する。
ベアラＩＤ系列が存在するとし、当該ベアラＩＤ系列が具体的にＲＢ１，ＲＢ２，…，ＲＢｋ−１，ＲＢｋ，ＲＢｋ＋１，…，ＲＢｎである。各ベアラに対応する索引位置は、それぞれ、ｐ１，ｐ２，…，ｐｋ−１，ｐｋ，ｐｋ＋１，…，ｐｎである。ここで、ｐ１，ｐ２，…，ｐｋ−１，ｐｋ，ｐｋ＋１，…，ｐｎは、ビットマップの対応するビット位置であり、非連続であってもよい。
新規確立ベアラがＲＢｎ＋１であれば、当該ベアラの新規確立をハイレイヤから指示し、当該ベアラ確立メッセージを構成する際に当該ベアラの索引位置ｐｎ＋１を付帯する。ここで、ｐｎ＋１は、上記の既存のあらゆる位置に等しくない。すると、ビットマップのｐｎ＋１ビットに対応するベアラＩＤは、ＲＢｎ＋１である。
新規確立ベアラがＲＢｎ＋１であれば、当該ベアラが、非繰り返し伝送機能ベアラから繰り返し伝送機能ベアラに修正され、当該メッセージをハイレイヤから構成する際に当該ベアラの索引位置ｐｎ＋１を付帯する。ここで、ｐｎ＋１は、上記の既存のあらゆる位置に等しくない。すると、ビットマップのｐｎ＋１ビットに対応するベアラＩＤは、ＲＢｎ＋１である。
【０１０１】
実施例８：ベアラ解放の際に、ベアラＩＤ系列におけるベアラの位置をハイレイヤに基づいて明示的に識別する。
ベアラＩＤ系列が存在するとし、当該ベアラＩＤ系列が具体的にＲＢ１，ＲＢ２，…，ＲＢｋ−１，ＲＢｋ，ＲＢｋ＋１，…，ＲＢｎである。各ベアラに対応する索引位置は、それぞれ、ｐ１，ｐ２，…，ｐｋ−１，ｐｋ，ｐｋ＋１，…，ｐｎである。ここで、ｐ１，ｐ２，…，ｐｋ−１，ｐｋ，ｐｋ＋１，…，ｐｎは、ビットマップの対応するビット位置であり、非連続であってもよい。
解放されるベアラがＲＢｋであれば、当該ベアラの解放をハイレイヤから指示すると、当該ベアラＲＢｋと元の位置ｐｋとのマッピング関係を解除する。Ｐｋ位置は、新規ベアラの再度マッピングに用いられる。
解放されるベアラがＲＢｋであれば、当該ベアラを繰り返し伝送機能ベアラから非繰り返し伝送機能ベアラに修正することをハイレイヤから指示すると、当該ベアラをベアラＩＤ系列から削除し、当該ベアラＲＢｋと元の位置ｐｋとのマッピング関係を解除する。Ｐｋ位置は、新規ベアラの再度マッピングに用いられる。
【０１０２】
実施例９：ベアラ修正の際に、ベアラＩＤ系列におけるベアラの位置をハイレイヤに基づいて明示的に識別する。
ベアラＩＤ系列が存在するとし、当該ベアラＩＤ系列が具体的にＲＢ１，ＲＢ２，…，ＲＢｋ−１，ＲＢｋ，ＲＢｋ＋１，…，ＲＢｎである。各ベアラに対応する索引位置は、それぞれ、ｐ１，ｐ２，…，ｐｋ−１，ｐｋ，ｐｋ＋１，…，ｐｎである。ここで、ｐ１，ｐ２，…，ｐｋ−１，ｐｋ，ｐｋ＋１，…，ｐｎは、ビットマップの対応するビット位置であり、非連続であってもよい。
修正されるベアラがＲＢｋであれば、当該ベアラ修正シグナリングをハイレイヤから構成する際に当該ベアラの索引位置をｐｋ’に修正する。ここで、ｐｋ’は、上記の既存のあらゆる位置に等しくない。すると、ビットマップのｐｋ’ビットに対応するベアラＩＤは、ＲＢｋのＩＤであり、当該ベアラＲＢｋと元のｐｋ位置とのマッピング関係が解除される。ｐｋ位置は、新規ベアラの再度マッピングに用いられる。
修正されるベアラがＲＢｋであれば、ベアラＩＤが元のＩＤからＫ’に修正されると、ビットマップのｐｋビットに対応するベアラＩＤは、Ｋ’に更新される。
修正されるベアラがＲＢｋであれば、そのベアラＩＤが元のＩＤからＫ’に修正されると、当該ベアラの索引位置がｐｋからｐｋ’に修正される。ここで、ｐｋ’は、上記の既存のあらゆる位置に等しくない。すると、ビットマップのｐｋ’ビットに対応するベアラＩＤは、Ｋ’であり、当該ベアラＲＢｋと元のｐｋ位置とのマッピング関係が解除される。ｐｋ位置は、新規ベアラの再度マッピングに用いられる。
ベアラ修正シグナリングには、ベアラＩＤと索引位置の修正が含まれない場合、元のベアラＩＤマッピング関係を維持する。
【０１０３】
実施例１０：ＤＲＢベアラの活性化または非活性化行為（単一の制御可能な分岐のシーン）
上記実施例１〜９では、ベアラＩＤとビットマップの位置マッピングが実現される。ここでビットマップ位置０−（Ｎ−１）は、リザーブのＳＲＢベアラマッピングであり、ほかのベアラは、ＤＲＢベアラマッピングである。ここでビットマップ位置Ｎ−ｍａｘ  ｂｉｔ（ｍａｘは、ビットマップのうちの最高位ビット位置の大きさである。）ビットでは、ｋの位置にベアラがマッピングされており、当該ｋ個の位置がそれぞれｐ０，ｐ１，…，ｐｍ，…，ｐｋである。当該位置は、連続であってもよく非連続であってもよい。ほかの位置では、ベアラがマッピングされておらず、ｋ個の位置は、ベアラＤＲＢ０，ＤＲＢ１，…，ＤＲＢｍ，…，ＤＲＢｋにそれぞれマッピングされる。
ステップ１：活性化が必要なベアラがＤＲＢｍであり、かつビットマップ位置「１」が、当該位置のベアラの活性化が必要であることを示す場合、ネットワーク側では、ＭＡＣ  ＣＥで対応するビットマップのｐｍ位置を１に設定し、当該メッセージをＵＥ側に送信する。
ステップ２において、ＵＥ側のＭＡＣ層では、ビットマップのｐｍ位置が１に設定されたことをＭＡＣ  ＣＥによって検出すると、当該位置に対応するベアラの活性化が必要であることを知り、ｐｍが領域［０，Ｎ−１］に属さないと判断したことから、当該ベアラがＤＲＢベアラであり、ベアラＩＤマッピング関係の整合によって、活性化が必要なベアラがＤＲＢｍであると特定する。
ステップ３において、ＵＥ側のＭＡＣ層では、取得した活性化が必要なベアラ情報をハイレイヤに知らせ、ＰＤＣＰでは当該情報を取得すると、ベアラ活性化状況に基づいて活性化を行い、活性化されたＲＬＣエンティティおよび論理チャネルを使用してデータの繰り返し伝送（ｄｕｐｌｉｃａｔｉｏｎ）を行うように制御する。
また、上記ステップ１〜ステップ３に基づいて、非活性化も実現可能である。ＵＥ側のＭＡＣ層では、取得した非活性化が必要なベアラ情報をハイレイヤに知らせ、ＰＤＣＰでは当該情報を取得すると、ベアラ活性化状況に基づいて非活性化を行い、対応するＲＬＣエンティティおよび論理チャネルの使用停止を制御し、当該分岐のデータのｄｕｐｌｉｃａｔｉｏｎを終了させる。
【０１０４】
実施例１１：各ベアラには、活性化または非活性化行為を行う唯一の分岐のみを構成可能である。
ベアラＲＢ１，ＲＢ２，…，ＲＢｋ−１，ＲＢｋ，ＲＢｋ＋１，…，ＲＢｎを確立したと仮定する。上記の実施例１〜９に基づいてすべてのベアラＩＤとビットマップとのマッピング関係をすでに取得したため、ビットマップにおける各ベアラの対応位置は、それぞれｐ１，ｐ２，…，ｐｋ−１，ｐｋ，ｐｋ＋１，…，ｐｎである。
ＲＢｋの分岐の活性化が必要であることをネットワーク側からＭＡＣ  ＣＥによってＵＥに通知し、かつ対応するビットマップ位置が「１」であることは、当該位置のベアラの活性化が必要であることを示す場合、ビットマップに対応するｐｋ位置は、１に設定する。ＵＥ側は、ネットワーク側から送信されるＭＡＣ  ＣＥのビットマップのｐｋ位置が１であることから、ＲＢｋを活性化が必要なベアラとして特定する。
ＵＥ側のＭＡＣ層では、活性化／非活性化を繰り返し伝送するＭＡＣ  ＣＥのビットマップのｐｋ位置が１であることをＭＡＣ  ＣＥによって取得し、ベアラＩＤとビットマップとのマッピング関係から、ＲＢｋの活性化が必要であると、取得した活性化が必要なベアラ情報をハイレイヤに知らせる。ＰＤＣＰでは当該情報を取得すると、ベアラ活性化状況に基づいて、活性化されたＲＬＣエンティティおよび論理チャネルを使用してデータの繰り返し伝送を行うように制御する。
【０１０５】
実施例１２：各ベアラには、活性化または非活性化行為を行う分岐が少なくとも１つ存在する。
ベアラＲＢ１，ＲＢ２，…，ＲＢｋ−１，ＲＢｋ，ＲＢｋ＋１，…，ＲＢｎを確立したと仮定する。上記の実施例１〜９に基づいてすべてのベアラＩＤとビットマップとのマッピング関係をすでに取得したため、ビットマップにおける各ベアラの対応位置は、それぞれｐ１，ｐ２，…，ｐｋ−１，ｐｋ，ｐｋ＋１，…，ｐｎである。
ＲＢｋの分岐ｍの活性化が必要であることをネットワーク側からＭＡＣ  ＣＥによってＵＥに通知し、かつ対応するビットマップ位置が「１」であることは、当該位置のベアラの活性化が必要であることを示す場合、ビットマップに対応するｐｋ位置は、１に設定する。
ハイレイヤからＲＢｋを構成する際にシグナリングによってすべての分岐を確立する場合、リストでは各分岐ＩＤは、順にｌｅｇ０，ｌｅｇ１，…，ｌｅｇｍ，…，ｌｅｇｓである。
各分岐がリスト順に排列されている場合、正順排列または逆順排列であり、ソート後にビットマップに対応する位置は、それぞれＰ１，Ｐ２，…，Ｐｍ，…，Ｐｓであると、セカンダリ情報ではビットマップのｐｍ位置は、「１」に設定される。各分岐がＩＤの大小で排列されている場合、正順排列または逆順排列であり、ソート後にビットマップに対応する位置は、それぞれＰ１，Ｐ２，…，Ｐｍ，…，Ｐｓであると、セカンダリ情報ではビットマップのｐｍ位置は、「１」に設定される。
ネットワーク側から設定済みのＭＡＣ  ＣＥをＵＥ側に送信する。ＵＥ側は、ネットワーク側から送信されるＭＡＣ  ＣＥのビットマップのｐｋ位置が１であることから、ベアラとビットマップとのマッピング関係から、活性化が必要なベアラがＲＢｋであると特定する。セカンダリ情報でのビットマップのｐｍ位置は、「１」であり、活性化が必要な分岐は、ｍである。すると、ＭＡＣ層では、活性化が必要なベアラおよび対応する分岐をハイレイヤに報告する必要がある。ＰＤＣＰでは、ＭＡＣ層から報告された活性化が必要なベアラおよび分岐情報に基づいて、当該ベアラの当該分岐に対応するＲＬＣエンティティおよび論理チャネルを使用するように制御する。
【０１０６】
また、上記ステップによって非活性化も実現可能であるが、ここでは繰り返して記載しない。
【０１０７】
本開示の一部実施例のベアラマッピング方法において、マルチ分岐シーンに対し分岐のマッピング方法と保守方法を提供することによって、ネットワーク側とＵＥ側とは、活性化または非活性化が必要なベアラおよびその分岐をＭＡＣ  ＣＥによって明確化することができる。
【０１０８】
本開示の一部実施例は、端末に応用されるベアラマッピング方法をさらに提供する。図２に示すように、当該方法において、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定するステップ２０１を含む。
【０１０９】
ここで、ＭＡＣ層では、ＭＡＣ  ＣＥの形式によって、ベアラデータパケットの繰り返し伝送（ｄｕｐｌｉｃａｔｉｏｎ）機能の活性化または非活性化を制御する。具体的に、ＭＡＣ層では、ベアラの活性化または非活性化を指示するビットマップをＭＡＣ  ＣＥに付帯し、ビットマップのうちの各ビットは、繰り返し伝送機能を有するように構成されたベアラに一対一に対応する。ＵＥ側は、ネットワーク側のＭＡＣ  ＣＥに付帯されるビットマップのうちのビットが「０」または「１」であることから、対応する位置のベアラに対し、対応する繰り返し伝送データパケットの活性化または非活性化が必要であるかを特定し、結果をハイレイヤに知らせることができる。ＰＤＣＰ（Ｐａｃｋｅｔ  Ｄａｔａ  Ｃｏｎｖｅｒｇｅｎｃｅ  Ｐｒｏｔｏｃｏｌ）層では、活性化または非活性化状態に基づいて、対応するＲＬＣ（Ｒａｄｉｏ  Ｌｉｎｋ  Ｃｏｎｔｒｏｌ）エンティティおよび論理チャネルの使用および状態を決定する。
【０１１０】
本開示の一部実施例のベアラマッピング方法において、ベアラＩＤとＭＡＣ  ＣＥのビットマップとのマッピング関係を、暗黙的または明示的な方式で指示することによって、端末側とネットワーク側ではビットマップのうちの各ビットに代表されるベアラを特定可能であり、さらに、ネットワーク側と端末側とは、活性化または非活性化が必要なベアラ及びその分岐をＭＡＣ  ＣＥによって明確化することができる。
【０１１１】
さらに、ベアラＩＤとＭＡＣ  ＣＥのビットマップとのマッピング関係を暗黙的な方式で特定することは、
所定プロトコルの取り決めによって、前記ベアラＩＤを所定ソートルールでソートしてベアラＩＤ系列を得るとともに、前記ベアラＩＤ系列のうちの各ベアラＩＤと前記ＭＡＣ  ＣＥのビットマップとのマッピング関係を特定することを含む。
【０１１２】
ここで、前記所定ソートルールは、ベアラの確立または修正の時間順にソートし、または、ベアラＩＤの逓増または逓減の順にソートすることを含む。
【０１１３】
さらに、前記ベアラＩＤ系列のうちの各ベアラＩＤと前記ＭＡＣ  ＣＥのビットマップとのマッピング関係を特定することは、
前記ベアラＩＤ系列のうちのＮ（正整数）個のベアラＩＤをビットマップのうちのＮ個の連続する位置にマッピングすることを含み、
ここで、ベアラＩＤとビットマップのうちの位置とは、一対一に対応する。
【０１１４】
具体的に、前記ベアラＩＤ系列のうちのＮ個のベアラＩＤをビットマップのうちのＮ個の連続する位置に所定マッピングルールで順にマッピングする。
前記所定マッピングルールは、高位から低位へマッピングするマッピングルールまたは低位から高位へマッピングするマッピングルールを含む。
【０１１５】
本開示の一部実施例において、ネットワーク側と端末側のＭＡＣ層では、活性化／非活性化指示を繰り返し伝送するＭＡＣ  ＣＥのビットマップと繰り返し伝送のベアラとのマッピング関係を統一化するために、両方では、統一化されたベアラＩＤ系列を保守する必要があり、活性化または非活性化が必要なベアラＩＤをビットマップのマッピング形式によってネットワーク側から端末側に通知する。当該ベアラＩＤ系列は、ビットマップへマッピングする際に、ビットマップの高位から低位への順に一対一に対応してもよく、ビットマップの低位から高位への順に一対一に対応してもよい。
【０１１６】
さらに、前記ベアラＩＤ系列のうちの各ベアラＩＤと前記ＭＡＣ  ＣＥのビットマップとのマッピング関係を特定した後に、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加すること、および／または、
ベアラの解放の際に、解放が必要なベアラのベアラＩＤを前記ベアラＩＤ系列から削除すること、および／または、
ベアラの修正の際に、前記所定ソートルールに基づいて前記ベアラＩＤ系列を更新することをさらに含む。
【０１１７】
この際に、ベアラのベアラＩＤを修正するのであれば、修正後のベアラＩＤおよび前記所定ソートルールに基づいて前記ベアラＩＤ系列を更新するが、ベアラのベアラＩＤを修正しないのであれば、前記所定ソートルールに基づいて前記ベアラＩＤ系列を更新する。
【０１１８】
さらに、ベアラＩＤとＭＡＣ  ＣＥのビットマップとのマッピング関係を明示的な方式で特定することは、
前記ベアラＩＤとＭＡＣ  ＣＥのビットマップとのマッピング関係を、基地局から送信されるハイレイヤシグナリングによって特定することを含む。
【０１１９】
さらに、前記ベアラＩＤとＭＡＣ  ＣＥのビットマップとのマッピング関係を、基地局から送信されるハイレイヤシグナリングによって特定することは、
新規に確立するベアラのベアラＩＤとビットマップとのマッピング関係が付帯されたベアラ新規確立指令に基づいて、新規に確立するベアラのベアラＩＤとビットマップとのマッピング関係を特定すること、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報が付帯されたベアラ解放指令に基づいて、解放が必要なベアラのベアラＩＤとビットマップとのマッピング関係を解除すること、および／または、
修正後ベアラのベアラＩＤとビットマップとのマッピング関係が付帯されたベアラ修正指令に基づいて、修正後ベアラのベアラＩＤとビットマップとのマッピング関係を特定することを含む。
【０１２０】
さらに、本開示の一部実施例のベアラマッピング方法において、
目標ベアラのベアラＩＤとビットマップとのマッピング関係である第１マッピング関係および前記目標ベアラの目標分岐とビットマップとのマッピング関係である第２マッピング関係を基地局から受信することと、
ここで、前記基地局から、目標ベアラの目標分岐に対し所定操作を行い、かつ前記目標ベアラには、前記所定操作が可能な分岐を少なくとも２つ構成可能である場合、第１マッピング関係および第２マッピング関係が送信され、
前記第１マッピング関係および前記第２マッピング関係に基づいて、前記目標ベアラの目標分岐に対し所定操作を行うこととをさらに含む。
【０１２１】
ここの所定操作は、具体的に活性化操作または非活性化操作である。上記第１マッピング関係と上記第２マッピング関係を端末に送信することによって、端末は、前記第１マッピング関係および前記第２マッピング関係に基づいて、前記目標ベアラの目標分岐に対し活性化操作または非活性化操作を行う。
【０１２２】
本開示の一部実施例におけるベアラマッピング方法において、ベアラＩＤとＭＡＣ  ＣＥのビットマップとのマッピング関係を、暗黙的または明示的な方式で指示することによって、端末側とネットワーク側ではビットマップのうちの各ビットに代表されるベアラを特定可能であり、さらに、ネットワーク側と端末側とは、活性化または非活性化が必要なベアラ及びその分岐をＭＡＣ  ＣＥによって明確化することができる。
【０１２３】
図３に示すように、本開示の一部実施例は、基地局に応用されるベアラマッピング装置をさらに提供する。
当該ベアラマッピング装置は、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で指示するための指示モジュール３０１を含む。
【０１２４】
本開示の一部実施例におけるベアラマッピング装置において、前記指示モジュール３０１は、所定プロトコルの取り決めによって、前記ベアラＩＤを所定ソートルールでソートしてベアラＩＤ系列を得るように端末に指示するとともに、前記ベアラＩＤ系列のうちの各前記ベアラＩＤとＭＡＣ  ＣＥのビットマップとのマッピング関係を指示することに用いられる。
【０１２５】
本開示の一部実施例におけるベアラマッピング装置において、前記所定ソートルールは、ベアラの確立または修正の時間順にソートし、または、ベアラＩＤの逓増または逓減の順にソートすることを含む。
【０１２６】
本開示の一部実施例におけるベアラマッピング装置において、前記指示モジュール３０１は、前記ベアラＩＤ系列のうちのＮ（正整数）個のベアラＩＤをビットマップのうちのＮ個の連続する位置にマッピングするように指示することに用いられる。ここで、ベアラＩＤとビットマップのうちの位置とは、一対一に対応する。
【０１２７】
本開示の一部実施例におけるベアラマッピング装置において、前記指示モジュール３０１は、前記ベアラＩＤ系列のうちのＮ個のベアラＩＤをビットマップのうちのＮ個の連続する位置に所定マッピングルールで順にマッピングするように指示することに用いられる。
前記所定マッピングルールは、高位から低位へマッピングするマッピングルールまたは低位から高位へマッピングするマッピングルールを含む。
【０１２８】
本開示の一部実施例におけるベアラマッピング装置は、図４に示すように、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加するための第１更新モジュール３０２、および／または、
ベアラの解放の際に、解放が必要なベアラのベアラＩＤを前記ベアラＩＤ系列から削除するための第２更新モジュール３０３、および／または、
ベアラの修正の際に、前記所定ソートルールに基づいて前記ベアラＩＤ系列を更新するための第３更新モジュール３０４をさらに含む。
【０１２９】
本開示の一部実施例におけるベアラマッピング装置において、前記第３更新モジュール３０４は、
ベアラのベアラＩＤを修正するのであれば、修正後のベアラＩＤおよび前記所定ソートルールに基づいて前記ベアラＩＤ系列を更新するための第１更新ユニット３０４１と、
ベアラのベアラＩＤを修正しないのであれば、前記所定ソートルールに基づいて前記ベアラＩＤ系列を更新するための第２更新ユニット３０４２とを含む。
【０１３０】
本開示の一部実施例におけるベアラマッピング装置において、前記指示モジュール３０１は、前記ベアラＩＤとＭＡＣ  ＣＥのビットマップとのマッピング関係をハイレイヤシグナリングによって指示することに用いられる。
【０１３１】
本開示の一部実施例におけるベアラマッピング装置において、前記指示モジュール３０１は、
新規に確立するベアラのベアラＩＤとビットマップとのマッピング関係をベアラ新規確立指令に付帯するための第１処理サブモジュール３０１１、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報を、ベアラ解放指令に付帯するための第２処理サブモジュール３０１２、および／または、
修正後ベアラのベアラＩＤとビットマップとのマッピング関係をベアラ修正指令に付帯するための第３処理サブモジュール３０１３を含む。
【０１３２】
本開示の一部実施例におけるベアラマッピング装置は、
目標ベアラの目標分岐に対し所定操作を行い、かつ前記目標ベアラには、前記所定操作が可能な分岐を少なくとも２つ構成可能である場合、前記目標ベアラのベアラＩＤとビットマップとの第１マッピング関係および目標分岐の分岐ＩＤとビットマップとの第２マッピング関係を端末に送信するための送信モジュール３０５をさらに含む。
【０１３３】
本開示の一部実施例におけるベアラマッピング装置は、ベアラＩＤとＭＡＣ  ＣＥのビットマップとのマッピング関係を、暗黙的または明示的な方式で指示することによって、端末側とネットワーク側ではビットマップのうちの各ビットに代表されるベアラを特定可能であり、さらに、ネットワーク側と端末側とは、活性化または非活性化が必要なベアラ及びその分岐をＭＡＣ  ＣＥによって明確化することができる。
【０１３４】
なお、当該装置は、上記方法実施例に対応する装置であり、上記方法実施例におけるすべての実現方式が当該装置の実施例に適用可能であり、同一の技術効果を奏することもできる。
【０１３５】
図５に示すように、本開示の一部実施例は、メモリ５２０と、プロセッサ５００と、トランシーバ５１０と、バスインタフェースと、メモリ５２０に記憶されてプロセッサ５００で実行可能なコンピュータプログラムを含む基地局をさらに提供する。
前記プロセッサ５００は、メモリ５２０からプログラムを読み取ることによって、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で指示するプロセスを実行する。
【０１３６】
ここで、図５において、バスアーキテクチャは、任意数の相互接続するバスとブリッジを含み、具体的に、プロセッサ５００をはじめとする１つ又は複数のプロセッサとメモリ５２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ５１０は、複数の部品であってもよく、即ち送信機と受信機を含み、伝送媒体でほかの各種類の装置と通信するユニットとして提供される。プロセッサ５００は、バスアーキテクチャと通常の処理を管理する。メモリ５２０は、プロセッサ５００による操作実行に使用されるデータを記憶できる。
【０１３７】
プロセッサ５００は、さらに、前記コンピュータプログラムを読み取ることによって、
所定プロトコルの取り決めによって、前記ベアラＩＤを所定ソートルールでソートしてベアラＩＤ系列を得るように端末に指示するとともに、前記ベアラＩＤ系列のうちの各前記ベアラＩＤとＭＡＣ  ＣＥのビットマップとのマッピング関係を指示するステップを実行する。
【０１３８】
選択可能に、前記所定ソートルールは、ベアラの確立または修正の時間順にソートし、または、ベアラＩＤの逓増または逓減の順にソートすることを含む。
【０１３９】
プロセッサ５００は、さらに、前記コンピュータプログラムを読み取ることによって、
前記ベアラＩＤ系列のうちのＮ（正整数）個のベアラＩＤをビットマップのうちのＮ個の連続する位置にマッピングするように指示するステップを実行する。ここで、ベアラＩＤとビットマップのうちの位置とは、一対一に対応する。
【０１４０】
プロセッサ５００は、さらに、前記コンピュータプログラムを読み取ることによって、
前記ベアラＩＤ系列のうちのＮ個のベアラＩＤをビットマップのうちのＮ個の連続する位置に所定マッピングルールで順にマッピングするように指示するステップを実行し、
前記所定マッピングルールは、高位から低位へマッピングするマッピングルールまたは低位から高位へマッピングするマッピングルールを含む。
【０１４１】
プロセッサ５００は、さらに、前記コンピュータプログラムを読み取ることによって、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加するステップ、および／または、
ベアラの解放の際に、解放が必要なベアラのベアラＩＤを前記ベアラＩＤ系列から削除するステップ、および／または、
ベアラの修正の際に、前記所定ソートルールに基づいて前記ベアラＩＤ系列を更新するステップを実行する。
【０１４２】
プロセッサ５００は、さらに、前記コンピュータプログラムを読み取ることによって、
ベアラのベアラＩＤを修正するのであれば、修正後のベアラＩＤおよび前記所定ソートルールに基づいて前記ベアラＩＤ系列を更新するステップと、
ベアラのベアラＩＤを修正しないのであれば、前記所定ソートルールに基づいて前記ベアラＩＤ系列を更新するステップとを実行する。
【０１４３】
プロセッサ５００は、さらに、前記コンピュータプログラムを読み取ることによって、
前記ベアラＩＤとＭＡＣ  ＣＥのビットマップとのマッピング関係をハイレイヤシグナリングによって指示するステップを実行する。
【０１４４】
プロセッサ５００は、さらに、前記コンピュータプログラムを読み取ることによって、
新規に確立するベアラのベアラＩＤとビットマップとのマッピング関係をベアラ新規確立指令に付帯するステップ、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報を、ベアラ解放指令に付帯するステップ、および／または、
修正後ベアラのベアラＩＤとビットマップとのマッピング関係をベアラ修正指令に付帯するステップを実行する。
【０１４５】
プロセッサ５００は、さらに、前記コンピュータプログラムを読み取ることによって、
目標ベアラの目標分岐に対し所定操作を行い、かつ前記目標ベアラには、前記所定操作が可能な分岐を少なくとも２つ構成可能である場合、前記目標ベアラのベアラＩＤとビットマップとの第１マッピング関係および目標分岐の分岐ＩＤとビットマップとの第２マッピング関係を端末に送信するステップを実行する。
【０１４６】
本開示の一部実施例において、コンピュータプログラムが記憶されているコンピュータ読み取り可能な記憶媒体をさらに提供する。
当該コンピュータプログラムがプロセッサによって実行されると、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で指示するステップが実現される。
【０１４７】
当該プログラムがプロセッサによって実行されると、上記方法実施例におけるすべての実現方式を実現可能であり、重複を避けるために、ここでは繰り返して記載しない。
【０１４８】
図６に示すように、本開示の一部実施例は、端末に応用されるベアラマッピング装置をさらに提供する。
当該ベアラマッピング装置は、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定するための特定モジュール６０１を含む。
【０１４９】
本開示の一部実施例におけるベアラマッピング装置において、前記特定モジュール６０１は、所定プロトコルの取り決めによって、前記ベアラＩＤを所定ソートルールでソートしてベアラＩＤ系列を得るとともに、前記ベアラＩＤ系列のうちの各ベアラＩＤと前記ＭＡＣ  ＣＥのビットマップとのマッピング関係を特定することに用いられる。
【０１５０】
本開示の一部実施例におけるベアラマッピング装置において、前記所定ソートルールは、ベアラの確立または修正の時間順にソートし、または、ベアラＩＤの逓増または逓減の順にソートすることを含む。
【０１５１】
本開示の一部実施例におけるベアラマッピング装置において、前記特定モジュール６０１は、前記ベアラＩＤ系列のうちのＮ（正整数）個のベアラＩＤをビットマップのうちのＮ個の連続する位置にマッピングすることに用いられる。ここで、ベアラＩＤとビットマップのうちの位置とは、一対一に対応する。
【０１５２】
本開示の一部実施例におけるベアラマッピング装置において、前記特定モジュール６０１は、前記ベアラＩＤ系列のうちのＮ個のベアラＩＤをビットマップのうちのＮ個の連続する位置に所定マッピングルールで順にマッピングすることに用いられ、
前記所定マッピングルールは、高位から低位へマッピングするマッピングルールまたは低位から高位へマッピングするマッピングルールを含む。
【０１５３】
本開示の一部実施例におけるベアラマッピング装置は、図７に示すように、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加するための第４更新モジュール６０２、および／または、
ベアラの解放の際に、解放が必要なベアラのベアラＩＤを前記ベアラＩＤ系列から削除するための第５更新モジュール６０３、および／または、
ベアラの修正の際に、前記所定ソートルールに基づいて前記ベアラＩＤ系列を更新するための第６更新モジュール６０４をさらに含む。
【０１５４】
本開示の一部実施例におけるベアラマッピング装置において、前記第６更新モジュール６０４は、
ベアラのベアラＩＤを修正するのであれば、修正後のベアラＩＤおよび前記所定ソートルールに基づいて前記ベアラＩＤ系列を更新するための第３更新ユニット６０４１と、
ベアラのベアラＩＤを修正しないのであれば、前記所定ソートルールに基づいて前記ベアラＩＤ系列を更新するための第４更新ユニット６０４２とを含む。
【０１５５】
本開示の一部実施例におけるベアラマッピング装置において、前記特定モジュール６０１は、前記ベアラＩＤとＭＡＣ  ＣＥのビットマップとのマッピング関係を、基地局から送信されるハイレイヤシグナリングによって特定することに用いられる。
【０１５６】
本開示の一部実施例におけるベアラマッピング装置において、前記特定モジュール６０１は、
新規に確立するベアラのベアラＩＤとビットマップとのマッピング関係が付帯されたベアラ新規確立指令に基づいて、新規に確立するベアラのベアラＩＤとビットマップとのマッピング関係を特定するための第１特定サブモジュール６０１１、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報が付帯されたベアラ解放指令に基づいて、解放が必要なベアラのベアラＩＤとビットマップとのマッピング関係を解除するための第２特定サブモジュール６０１２、および／または、
修正後ベアラのベアラＩＤとビットマップとのマッピング関係が付帯されたベアラ修正指令に基づいて、修正後ベアラのベアラＩＤとビットマップとのマッピング関係を特定するための第３特定サブモジュール６０１３を含む。
【０１５７】
本開示の一部実施例におけるベアラマッピング装置は、
目標ベアラのベアラＩＤとビットマップとのマッピング関係である第１マッピング関係および前記目標ベアラの目標分岐とビットマップとのマッピング関係である第２マッピング関係を基地局から受信するための受信モジュール６０５と、
ここで、前記基地局から、目標ベアラの目標分岐に対し所定操作を行い、かつ前記目標ベアラには、前記所定操作が可能な分岐を少なくとも２つ構成可能である場合、第１マッピング関係および第２マッピング関係が送信され、
前記第１マッピング関係および前記第２マッピング関係に基づいて、前記目標ベアラの目標分岐に対し所定操作を行うための処理モジュール６０６とをさらに含む。
【０１５８】
本開示の一部実施例におけるベアラマッピング装置は、ベアラＩＤとＭＡＣ  ＣＥのビットマップとのマッピング関係を、暗黙的または明示的な方式で指示することによって、端末側とネットワーク側ではビットマップのうちの各ビットに代表されるベアラを特定可能であり、さらに、ネットワーク側と端末側とは、活性化または非活性化が必要なベアラ及びその分岐をＭＡＣ  ＣＥによって明確化することができる。
【０１５９】
なお、当該ベアラマッピング装置は、上記の端末側に応用されるベアラマッピング方法に対応する装置であり、上記方法実施例におけるすべての実現方式が当該装置の実施例に適用可能であり、同一の技術効果を奏することもできる。
【０１６０】
本開示の一部実施例において、図８に示すように、メモリ８２０と、プロセッサ８００と、トランシーバ８１０と、ユーザインタフェース８３０と、バスインタフェースと、メモリ８２０に記憶されてプロセッサ８００で実行可能なコンピュータプログラムを含む端末をさらに提供する。
前記プロセッサ８００は、メモリ８２０からプログラムを読み取ることによって、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定するプロセスを実行する。
【０１６１】
ここで、図８において、バスアーキテクチャは、任意数の相互接続するバスとブリッジを含み、具体的に、プロセッサ８００をはじめとする１つ又は複数のプロセッサとメモリ８２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ８１０は、複数の部品であってもよく、即ち送信機と受信機を含み、伝送媒体でほかの各種類の装置と通信するユニットとして提供される。ユーザ端末によっては、ユーザインタフェース８３０は、内部接続や外部接続する機器のインタフェースであってもよい。接続する機器は、キーパッド、ディスプレイ、スピーカ、マイクロフォン、ジョイスティックなどを含むが、それらに限られない。
【０１６２】
プロセッサ８００は、バスアーキテクチャと通常の処理を管理する。メモリ８２０は、プロセッサ８００による操作実行に使用されるデータを記憶できる。
【０１６３】
プロセッサ８００は、さらに、メモリ８２０からプログラムを読み取ることによって、
所定プロトコルの取り決めによって、前記ベアラＩＤを所定ソートルールでソートしてベアラＩＤ系列を得るとともに、前記ベアラＩＤ系列のうちの各ベアラＩＤと前記ＭＡＣ  ＣＥのビットマップとのマッピング関係を特定するステップを実行する。
【０１６４】
選択可能に、前記所定ソートルールは、ベアラの確立または修正の時間順にソートし、または、ベアラＩＤの逓増または逓減の順にソートすることを含む。
【０１６５】
プロセッサ８００は、さらに、メモリ８２０からプログラムを読み取ることによって、
前記ベアラＩＤ系列のうちのＮ（正整数）個のベアラＩＤをビットマップのうちのＮ個の連続する位置にマッピングするステップを実行し、
ここで、ベアラＩＤとビットマップのうちの位置とは、一対一に対応する。
【０１６６】
プロセッサ８００は、さらに、メモリ８２０からプログラムを読み取ることによって、
前記ベアラＩＤ系列のうちのＮ個のベアラＩＤをビットマップのうちのＮ個の連続する位置に所定マッピングルールで順にマッピングするステップを実行し、
前記所定マッピングルールは、高位から低位へマッピングするマッピングルールまたは低位から高位へマッピングするマッピングルールを含む。
【０１６７】
プロセッサ８００は、さらに、メモリ８２０からプログラムを読み取ることによって、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加するステップ、および／または、
ベアラの解放の際に、解放が必要なベアラのベアラＩＤを前記ベアラＩＤ系列から削除するステップ、および／または、
ベアラの修正の際に、前記所定ソートルールに基づいて前記ベアラＩＤ系列を更新するステップを実行する。
【０１６８】
プロセッサ８００は、さらに、メモリ８２０からプログラムを読み取ることによって、
ベアラのベアラＩＤを修正するのであれば、修正後のベアラＩＤおよび前記所定ソートルールに基づいて前記ベアラＩＤ系列を更新するステップと、
ベアラのベアラＩＤを修正しないのであれば、前記所定ソートルールに基づいて前記ベアラＩＤ系列を更新するステップとを実行する。
【０１６９】
プロセッサ８００は、さらに、メモリ８２０からプログラムを読み取ることによって、
前記ベアラＩＤとＭＡＣ  ＣＥのビットマップとのマッピング関係を、基地局から送信されるハイレイヤシグナリングによって特定するステップを実行する。
【０１７０】
プロセッサ８００は、さらに、メモリ８２０からプログラムを読み取ることによって、
新規に確立するベアラのベアラＩＤとビットマップとのマッピング関係が付帯されたベアラ新規確立指令に基づいて、新規に確立するベアラのベアラＩＤとビットマップとのマッピング関係を特定するステップ、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報が付帯されたベアラ解放指令に基づいて、解放が必要なベアラのベアラＩＤとビットマップとのマッピング関係を解除するステップ、および／または、
修正後ベアラのベアラＩＤとビットマップとのマッピング関係が付帯されたベアラ修正指令に基づいて、修正後ベアラのベアラＩＤとビットマップとのマッピング関係を特定するステップを実行する。
【０１７１】
プロセッサ８００は、さらに、メモリ８２０からプログラムを読み取ることによって、
目標ベアラのベアラＩＤとビットマップとのマッピング関係である第１マッピング関係および前記目標ベアラの目標分岐とビットマップとのマッピング関係である第２マッピング関係を基地局から受信するステップと、
ここで、前記基地局から、目標ベアラの目標分岐に対し所定操作を行い、かつ前記目標ベアラには、前記所定操作が可能な分岐を少なくとも２つ構成可能である場合、第１マッピング関係および第２マッピング関係が送信され、
前記第１マッピング関係および前記第２マッピング関係に基づいて、前記目標ベアラの目標分岐に対し所定操作を行うステップとを実行する。
【０１７２】
本開示の一部実施例において、コンピュータプログラムが記憶されているコンピュータ読み取り可能な記憶媒体をさらに提供する。
当該コンピュータプログラムがプロセッサによって実行されると、繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定するステップが実現される。
【０１７３】
当該プログラムがプロセッサによって実行されると、上記方法実施例におけるすべての実現方式を実現可能であり、重複を避けるために、ここでは繰り返して記載しない。
【０１７４】
本開示の各実施例において、上記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【０１７５】
以上記載されたのは、本開示の好適な実施形態である。なお、当業者は、本開示に記載されている原理を逸脱せずに様々な改良や修飾をすることもできる。これらの改良や修飾も、本開示の保護範囲として見なされるべきである。
【図１】
2020530740.tif 000003
【図２】
2020530740.tif 000004
【図３】
2020530740.tif 000005
【図４】
2020530740.tif 000006
【図５】
2020530740.tif 000007
【図６】
2020530740.tif 000008
【図７】
2020530740.tif 000009
【図８】
2020530740.tif 000010
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
基地局に応用されるベアラマッピング方法において、
繰り返し伝送機能を有するように構成されたベアラのＩＤであるベアラＩＤと、活性化指示または非活性化指示を繰り返し伝送する制御エレメントであるＭＡＣ  ＣＥ（Ｍｅｄｉｕｍ  Ａｃｃｅｓｓ  Ｃｏｎｔｒｏｌ  Ｃｏｎｔｒｏｌ  Ｅｌｅｍｅｎｔ）のビットマップ（ｂｉｔｍａｐ）とのマッピング関係を、暗黙的または明示的な方式で指示することを含む、ベアラマッピング方法。
【請求項２】
ベアラＩＤとＭＡＣ  ＣＥのビットマップとのマッピング関係を暗黙的な方式で指示することは、
所定プロトコルの取り決めによって、前記ベアラＩＤを所定ソートルールでソートしてベアラＩＤ系列を得るように端末に指示するとともに、前記ベアラＩＤ系列のうちの各前記ベアラＩＤとＭＡＣ  ＣＥのビットマップとのマッピング関係を指示することを含み、
前記所定ソートルールは、
ベアラの確立または修正の時間順にソートし、または、ベアラＩＤの逓増または逓減の順にソートすることを含む、請求項１に記載のベアラマッピング方法。
【請求項３】
前記ベアラＩＤ系列のうちの各前記ベアラＩＤとＭＡＣ  ＣＥのビットマップとのマッピング関係を指示することは、
前記ベアラＩＤ系列のうちのＮ（正整数）個のベアラＩＤをビットマップのうちのＮ個の連続する位置にマッピングするように指示することを含み、
ここで、ベアラＩＤとビットマップのうちの位置とは、一対一に対応し、
前記ベアラＩＤ系列のうちのＮ個のベアラＩＤをビットマップのうちのＮ個の連続する位置にマッピングするように指示することは、
前記ベアラＩＤ系列のうちのＮ個のベアラＩＤをビットマップのうちのＮ個の連続する位置に所定マッピングルールで順にマッピングするように指示することを含み、
前記所定マッピングルールは、
高位から低位へマッピングするマッピングルールまたは低位から高位へマッピングするマッピングルールを含む、請求項２に記載のベアラマッピング方法。
【請求項４】
前記ベアラＩＤ系列のうちの各前記ベアラＩＤとＭＡＣ  ＣＥのビットマップとのマッピング関係を指示した後に、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加すること、および／または、
ベアラの解放の際に、解放が必要なベアラのベアラＩＤを前記ベアラＩＤ系列から削除すること、および／または、
ベアラの修正の際に、前記所定ソートルールに基づいて前記ベアラＩＤ系列を更新することをさらに含み、
ベアラの修正の際に、前記所定ソートルールに基づいて前記ベアラＩＤ系列を更新することは、
ベアラのベアラＩＤを修正するのであれば、修正後のベアラＩＤおよび前記所定ソートルールに基づいて前記ベアラＩＤ系列を更新することと、
ベアラのベアラＩＤを修正しないのであれば、前記所定ソートルールに基づいて前記ベアラＩＤ系列を更新することとを含む、請求項２に記載のベアラマッピング方法。
【請求項５】
ベアラＩＤとＭＡＣ  ＣＥのビットマップとのマッピング関係を明示的な方式で指示することは、
前記ベアラＩＤとＭＡＣ  ＣＥのビットマップとのマッピング関係をハイレイヤシグナリングによって指示することを含み、
前記ベアラＩＤとＭＡＣ  ＣＥのビットマップとのマッピング関係をハイレイヤシグナリングによって指示することは、
新規に確立するベアラのベアラＩＤとビットマップとのマッピング関係をベアラ新規確立指令に付帯すること、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報を、ベアラ解放指令に付帯すること、および／または、
修正後ベアラのベアラＩＤとビットマップとのマッピング関係をベアラ修正指令に付帯することを含む、請求項１に記載のベアラマッピング方法。
【請求項６】
前記のベアラＩＤとＭＡＣ  ＣＥのビットマップとのマッピング関係を暗黙的または明示的な方式で指示した後に、
目標ベアラの目標分岐に対し所定操作を行い、かつ前記目標ベアラには、前記所定操作が可能な分岐を少なくとも２つ構成可能である場合、前記目標ベアラのベアラＩＤとビットマップとの第１マッピング関係および目標分岐の分岐ＩＤとビットマップとの第２マッピング関係を端末に送信することをさらに含む、請求項１に記載のベアラマッピング方法。
【請求項７】
端末に応用されるベアラマッピング方法において、
繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定することを含む、ベアラマッピング方法。
【請求項８】
ベアラＩＤとＭＡＣ  ＣＥのビットマップとのマッピング関係を暗黙的な方式で特定することは、
所定プロトコルの取り決めによって、前記ベアラＩＤを所定ソートルールでソートしてベアラＩＤ系列を得るとともに、前記ベアラＩＤ系列のうちの各ベアラＩＤと前記ＭＡＣ  ＣＥのビットマップとのマッピング関係を特定することを含み、
前記所定ソートルールは、
ベアラの確立または修正の時間順にソートし、または、ベアラＩＤの逓増または逓減の順にソートすることを含む、請求項７に記載のベアラマッピング方法。
【請求項９】
前記ベアラＩＤ系列のうちの各ベアラＩＤと前記ＭＡＣ  ＣＥのビットマップとのマッピング関係を特定することは、
前記ベアラＩＤ系列のうちのＮ（正整数）個のベアラＩＤをビットマップのうちのＮ個の連続する位置にマッピングすることを含み、
ここで、ベアラＩＤとビットマップのうちの位置とは、一対一に対応し、
前記ベアラＩＤ系列のうちのＮ個のベアラＩＤをビットマップのうちのＮ個の連続する位置にマッピングすることは、
前記ベアラＩＤ系列のうちのＮ個のベアラＩＤをビットマップのうちのＮ個の連続する位置に所定マッピングルールで順にマッピングすることを含み、
前記所定マッピングルールは、
高位から低位へマッピングするマッピングルールまたは低位から高位へマッピングするマッピングルールを含む、請求項８に記載のベアラマッピング方法。
【請求項１０】
前記ベアラＩＤ系列のうちの各ベアラＩＤと前記ＭＡＣ  ＣＥのビットマップとのマッピング関係を特定した後に、
ベアラの新規確立の際に、新規に確立するベアラのベアラＩＤおよび前記所定ソートルールに基づいて、前記新規に確立するベアラのベアラＩＤを前記ベアラＩＤ系列のうちの対応位置に追加すること、および／または、
ベアラの解放の際に、解放が必要なベアラのベアラＩＤを前記ベアラＩＤ系列から削除すること、および／または、
ベアラの修正の際に、前記所定ソートルールに基づいて前記ベアラＩＤ系列を更新することをさらに含み、
ベアラの修正の際に、前記所定ソートルールに基づいて前記ベアラＩＤ系列を更新することは、
ベアラのベアラＩＤを修正するのであれば、修正後のベアラＩＤおよび前記所定ソートルールに基づいて前記ベアラＩＤ系列を更新することと、
ベアラのベアラＩＤを修正しないのであれば、前記所定ソートルールに基づいて前記ベアラＩＤ系列を更新することとを含む、請求項８に記載のベアラマッピング方法。
【請求項１１】
ベアラＩＤとＭＡＣ  ＣＥのビットマップとのマッピング関係を明示的な方式で特定することは、
前記ベアラＩＤとＭＡＣ  ＣＥのビットマップとのマッピング関係を、基地局から送信されるハイレイヤシグナリングによって特定することを含み、
前記ベアラＩＤとＭＡＣ  ＣＥのビットマップとのマッピング関係を、基地局から送信されるハイレイヤシグナリングによって特定することは、
新規に確立するベアラのベアラＩＤとビットマップとのマッピング関係が付帯されたベアラ新規確立指令に基づいて、新規に確立するベアラのベアラＩＤとビットマップとのマッピング関係を特定すること、および／または、
解放が必要なベアラのベアラＩＤとビットマップとのマッピング関係、または、解放が必要なベアラのベアラＩＤ、または、当該ベアラに繰り返し伝送機能を有しなくなる旨を指示する指示情報が付帯されたベアラ解放指令に基づいて、解放が必要なベアラのベアラＩＤとビットマップとのマッピング関係を解除すること、および／または、
修正後ベアラのベアラＩＤとビットマップとのマッピング関係が付帯されたベアラ修正指令に基づいて、修正後ベアラのベアラＩＤとビットマップとのマッピング関係を特定することを含む、請求項７に記載のベアラマッピング方法。
【請求項１２】
目標ベアラのベアラＩＤとビットマップとのマッピング関係である第１マッピング関係および前記目標ベアラの目標分岐とビットマップとのマッピング関係である第２マッピング関係を基地局から受信することと、
ここで、前記基地局から、目標ベアラの目標分岐に対し所定操作を行い、かつ前記目標ベアラには、前記所定操作が可能な分岐を少なくとも２つ構成可能である場合、第１マッピング関係および第２マッピング関係が送信され、
前記第１マッピング関係および前記第２マッピング関係に基づいて、前記目標ベアラの目標分岐に対し所定操作を行うこととをさらに含む、請求項７に記載のベアラマッピング方法。
【請求項１３】
基地局に応用されるベアラマッピング装置において、
繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で指示するための指示モジュールを含む、ベアラマッピング装置。
【請求項１４】
前記指示モジュールは、
所定プロトコルの取り決めによって、前記ベアラＩＤを所定ソートルールでソートしてベアラＩＤ系列を得るように端末に指示するとともに、前記ベアラＩＤ系列のうちの各前記ベアラＩＤとＭＡＣ  ＣＥのビットマップとのマッピング関係を指示することに用いられ、
または、
前記指示モジュールは、
前記ベアラＩＤとＭＡＣ  ＣＥのビットマップとのマッピング関係をハイレイヤシグナリングによって指示することに用いられる、請求項１３に記載のベアラマッピング装置。
【請求項１５】
端末に応用されるベアラマッピング装置において、
繰り返し伝送機能を有するように構成されたベアラのＩＤであるベアラＩＤと、活性化指示または非活性化指示を繰り返し伝送する制御エレメントであるＭＡＣ  ＣＥのビットマップとのマッピング関係を、暗黙的または明示的な方式で特定するための特定モジュールを含む、ベアラマッピング装置。
【請求項１６】
前記特定モジュールは、
所定プロトコルの取り決めによって、前記ベアラＩＤを所定ソートルールでソートしてベアラＩＤ系列を得るとともに、前記ベアラＩＤ系列のうちの各ベアラＩＤと前記ＭＡＣ  ＣＥのビットマップとのマッピング関係を特定することに用いられ、
または、
前記特定モジュールは、
前記ベアラＩＤとＭＡＣ  ＣＥのビットマップとのマッピング関係を、基地局から送信されるハイレイヤシグナリングによって特定することに用いられる、請求項１５に記載のベアラマッピング装置。
【国際調査報告】
2020530740.tif 000011
2020530740.tif 000012
2020530740.tif 000013
2020530740.tif 000014